(57)【要約】【課題】操作者が、当該インクが所望の硬化状態となる温度の目安を視覚的に認識できるようにする。【解決手段】印刷情報を構成するインクは、表示温度記憶エリアに記憶した温度情報に対応した温度に達し、加熱されたことを原因として、紫外線の露光量に応じた初期硬化状態から当該温度情報に対応する温度における所望の硬化状態に進行するインクの外表面を得るための初期照射量の紫外線を露光される。ＣＰＵ３０１は、上記温度情報を表示温度記憶エリアに記憶する。印刷ヘッド１０１は、ＣＰＵ３０１の制御に基づき、表示温度記憶エリアに記憶した温度情報に関連した関連温度情報を、被印刷媒体１０４上の画像データと異なる部分に対し印刷する。【選択図】図１８
2011212915.tif 000002
【特許請求の範囲】
【請求項１】
被記録媒体を載置可能な載置手段と、
紫外線の露光を契機に硬化を開始して当該紫外線の露光量に応じた初期硬化状態に到達し前記紫外線の露光を停止した後は前記初期硬化状態から加熱により硬化が進行するインクを吐出する吐出手段と、
紫外線を発生する紫外線発生源と、
温度情報を設定する情報設定手段と、
前記載置手段が載置した前記被記録媒体の所定部分に対し被記録情報を印刷し、前記被記録媒体の前記所定部分とは異なる部分に対し前記情報設定手段が設定した前記温度情報に関連した関連温度情報を印刷するように、前記吐出手段による前記インクの吐出を制御する吐出制御手段と、
前記情報設定手段が設定した温度情報に対応した温度に達したことによって、紫外線の露光量に応じた初期硬化状態から当該温度情報に当該対応する温度における所望の硬化状態に進行するインクの外表面を得るための初期照射量の紫外線の照射を、前記載置手段が載置した前記被記録媒体に付着した前記インクに対して行うように、前記紫外線発生源が発生した紫外線の照射量を調整する照射調整手段と、
を有することを特徴とする記録装置。
【請求項２】
請求項１記載の記録装置において、
前記吐出制御手段は、
前記温度情報に関連した関連温度情報に加え、前記照射調整手段が調整した前記紫外線発生源が発生した紫外線の照射量を前記異なる部分に印刷するように、前記吐出手段による前記インクの吐出を制御する
ことを特徴とする記録装置。
【請求項３】
請求項１記載の記録装置において、
前記照射調整手段は、
前記紫外線発生源が発生した紫外線の照射量を段階的に増減するよう構成されており、
段階的に調整可能な複数の段階照射量のうち、前記情報設定手段が設定した温度情報に対応した温度において前記所望の硬化状態を得るために前記インクに照射すべき目標照射量との差が最小となる初期照射量に、前記紫外線発生源が発生した紫外線の照射量を調整する
ことを特徴とする記録装置。
【請求項４】
請求項１記載の記録装置において、
前記照射調整手段は、
前記紫外線発生源が発生した紫外線の調整量を段階的に増減するよう構成されており、
段階的に調整可能な複数の段階照射量のうち、前記情報設定手段が設定した温度情報に対応した温度において前記所望の硬化状態を得るために前記インクに照射すべき目標照射量未満でかつ当該目標照射量との差が最小となる初期照射量に、前記紫外線発生源が発生した紫外線の照射量を調整する
ことを特徴とする記録装置。
【請求項５】
請求項１記載の記録装置において、
前記照射調整手段は、
前記紫外線発生源が発生した紫外線の照射量を段階的に増減するよう構成されており、
段階的に調整可能な複数の段階照射量のうち、前記情報設定手段が設定した温度情報に対応した温度において前記所望の硬化状態を得るために前記インクに照射すべき目標照射量より大きくかつ当該目標照射量との差が最小となる初期照射量に、前記紫外線発生源が発生した紫外線の照射量を調整する
ことを特徴とする記録装置。
【請求項６】
請求項３乃至請求項５のいずれか１項記載の記録装置において、
前記吐出制御手段は、
前記温度情報に関連した関連温度情報として、前記情報設定手段が設定した温度情報に対応した温度に関係した初期照射量に対し、前記初期硬化状態から加熱により到達する温度と前記初期硬化状態から前記加熱により進行する前記インクの硬化状態との相関に基づき定められた温度情報に関連した関連温度情報を印刷するように、前記吐出手段による前記インクの吐出を制御する
ことを特徴とする記録装置。
【請求項７】
請求項３乃至請求項６のいずれか１項記載の記録装置において、
前記紫外線発生源は、
発光することで紫外線を生じる複数個の発光素子を備え、
前記照射調整手段が、発光させる前記発光素子の数を増減させることで前記複数の段階照射量を実現する
ことを特徴とする記録装置。
【請求項８】
請求項３乃至請求項６のいずれか１項記載の記録装置において、
前記紫外線発生源は、
電流の変化によって異なる照射量の紫外線を生じる発光素子を備え、
前記照射調整手段が、当該発光素子へ供給する電流を変化することで前記複数の段階照射量を実現する
ことを特徴とする記録装置。
【請求項９】
請求項１乃至請求項８のいずれか１項記載の記録装置において、
前記照射調整は、
前記情報設定手段が設定した温度情報に対応した温度に達したことによる所望の硬化状態として、前記インクに対し、ＪＩＳ  Ｚ３２８４に準拠したタッキング試験機による評価においてインクの引張荷重が０となるための最小値以上に紫外線がインクにより多く照射される初期照射量に、前記紫外線発生源が発生した紫外線の照射量を調整する
ことを特徴とする記録装置。
【請求項１０】
請求項１乃至請求項９のいずれか１項記載の記録装置において、
前記情報設定手段は、
前記インクに対し、ＪＩＳ  Ｚ３２８４に準拠したタッキング試験機による評価においてインクの引張荷重が０となるときの照射量の最小値の０．０５倍〜０．９５倍の範囲である、前記紫外線発生源が発生した紫外線の照射量を実現する温度情報を設定する
ことを特徴とする記録装置。
【請求項１１】
請求項１乃至請求項１０のいずれか１項記載の記録装置において、
前記吐出手段は、
濡れ張力が３６以下である剥離体からなる前記被記録媒体にインクを吐出する
ことを特徴とする記録装置。
【請求項１２】
請求項１１記載の記録装置において、
前記吐出手段は、
ポリプロピレンからなる前記被記録媒体にインクを吐出する
ことを特徴とする記録装置。
【請求項１３】
被記録媒体を載置可能な載置手段と、紫外線の露光を契機に硬化を開始して当該紫外線の露光量に応じた初期硬化状態に到達し前記紫外線の露光を停止した後は前記初期硬化状態から加熱により硬化が進行するインクを吐出する吐出手段と、紫外線を発生する紫外線発生源と、を有する記録装置に備えられた制御手段に対し、
温度情報を設定する情報設定手順と、
前記載置手段が載置した前記被記録媒体の所定部分に対し被記録情報に関連した関連温度情報を印刷し、前記被記録媒体の前記所定部分とは異なる部分に対し前記情報設定手順で設定した前記温度情報を印刷するように、前記吐出手段による前記インクの吐出を制御する吐出制御手順と、
前記情報設定手順で設定した温度情報に対応した温度に達したことによって、紫外線の露光量に応じた初期硬化状態から所望の硬化状態に進行するインクの外表面を得るための初期照射量の紫外線の照射を行うように、前記紫外線発生源が発生した紫外線の照射量を調整する照射調整手順と、
を実行させるための記録装置の制御プログラム。
【請求項１４】
紫外線の露光を契機に硬化を開始して当該紫外線の露光量に応じた初期硬化状態に到達し前記紫外線の露光を停止した後は前記初期硬化状態から加熱により硬化が進行するインクを吐出し、被記録媒体の所定部分に対し被記録情報を印刷するとともに、被記録媒体の前記所定部分とは異なる部分に対し、前記紫外線発生源が発生した紫外線に関して、温度情報に関連した関連温度情報を印刷する、第１ステップと、
前記第１ステップで前記被記録媒体に付着した前記インクが前記第１ステップにおいて印刷された関連温度情報に関連した温度情報に対応した温度に達したことによって、紫外線の露光量に応じた初期硬化状態から情報設定手段が設定した温度情報に対応した温度における所望の硬化状態に進行するインクの外表面を得るための初期照射量の紫外線を前記第１ステップで前記被記録媒体に付着した前記インクに照射する、第２ステップと、
を実行することにより形成した、被記録媒体上の記録物。
【発明の詳細な説明】
【技術分野】
【０００１】
本発明は、本発明は、インクを記録媒体上に吐出し、その被記録媒体上のインクに紫外線を照射する記録装置、及びこの記録装置の制御プログラム、並びに被記録媒体上の記録物に関する。
【背景技術】
【０００２】
従来より、インクを吐出する吐出手段と、紫外線を発生する紫外線発生源とを備える記録装置がある（例えば、特許文献１参照）。吐出手段は、載置手段が載置した被記録媒体に対しインクの吐出を行い、被記録情報の印刷を行う。紫外線発生源は、被記録媒体に付着したインクに対し、紫外線を照射する。被記録媒体に付着したインクは、紫外線の露光により硬化する。
【先行技術文献】
【特許文献】
【０００３】
【特許文献１】特開２００２−２９２８８７号公報
【発明の概要】
【発明が解決しようとする課題】
【０００４】
上記記録装置は、紫外線の照射により、被記録媒体に付着したインクを固定的に定められた所定の硬化状態とした上で、印刷を終了する。所定の硬化状態は、通常、インクがその外表面の粘着性を喪失する硬化状態（以下、第１硬化状態という）である。
【０００５】
ここで、紫外線発生源を有する記録装置は、ＵＶインクとしてカチオン系のインクを用いる場合がある。このインクは、紫外線の露光を契機に硬化を開始するとともに、紫外線の露光量に応じた初期硬化状態に到達し、その後に紫外線の露光を停止しても、インクはその後の加熱によってさらに硬化を進行する。したがって、例えば温度管理が必要な生鮮食品等に印刷が終了した記録媒体を添付して使用するような場合など、記録媒体の用途や目的によっては、印刷終了直後に上記第１硬化状態とせずに、インクがその外表面に未だ粘着性を有する硬化状態（以下、第２硬化状態という）としておき、その後インクの硬化が進行したか否かにより、生鮮食品等の温度管理を行うことが可能となる。
【０００６】
そこで、上記従来技術の記録装置において照射量を調整可能な構成とし、上記第１硬化状態とするために必要な照射量よりも小さい照射量に調整することで、印刷終了直後の記録媒体の硬化状態を上記第２硬化状態とすることが考えられる。この場合に、インクが上記第１硬化状態となる温度を操作者が認識できるようにすると、操作者はその温度が上記温度管理等の用途や目的に適合しているかどうかを確認することができ、利便性が向上する。
【０００７】
本発明の目的は、被記録媒体上のインクが所望の硬化状態となる温度に関連した情報を、被記録媒体上における被記録情報を印刷した所定部分とは別の部分に印刷することにより、操作者が、当該インクが所望の硬化状態となる温度の目安を視覚的に認識することができる記録装置、記録装置の制御プログラム、及び被記録媒体上の記録物を提供することにある。
【課題を解決するための手段】
【０００８】
上記目的を達成するために、第１発明の記録装置は、被記録媒体を載置可能な載置手段と、紫外線の露光を契機に硬化を開始して当該紫外線の露光量に応じた初期硬化状態に到達し前記紫外線の露光を停止した後は前記初期硬化状態から加熱により硬化が進行するインクを吐出する吐出手段と、紫外線を発生する紫外線発生源と、温度情報を設定する情報設定手段と、前記載置手段が載置した前記被記録媒体の所定部分に対し被記録情報を印刷し、前記被記録媒体の前記所定部分とは異なる部分に対し前記情報設定手段が設定した前記温度情報に関連した関連温度情報を印刷するように、前記吐出手段による前記インクの吐出を制御する吐出制御手段と、前記情報設定手段が設定した温度情報に対応した温度に達したことによって、紫外線の露光量に応じた初期硬化状態から当該温度情報に当該対応する温度における所望の硬化状態に進行するインクの外表面を得るための初期照射量の紫外線の照射を、前記載置手段が載置した前記被記録媒体に付着した前記インクに対して行うように、前記紫外線発生源が発生した紫外線の照射量を調整する照射調整手段と、を有することを特徴とする。
【０００９】
本願第１発明の記録装置は、載置手段と、吐出手段とを有する。吐出手段は、載置手段が載置した被記録媒体に対しインクの吐出を行い、所定部分に対し例えば画像などの被記録情報を被記録媒体に印刷して記録を行う。吐出手段が吐出するインクは、紫外線の露光を契機に硬化を開始し、紫外線の露光量に応じた初期硬化状態に到達する。初期硬化状態に到達した後に紫外線の露光を停止しても、インクはその後の加熱によってさらに硬化を進行する。インクが初期硬化状態の後に加熱により増加する硬化度は、加熱時に到達する温度、すなわち周囲温度、温度上昇幅、加熱時間、加熱方法等（周囲温度等と略す）の少なくとも１つに対応する。紫外線照射により初期硬化状態に達した後、上記周囲温度等に応じて硬化度が増大し、所望の硬化状態に達する。所望の硬化状態が決まっている場合には、当該周囲温度等と、初期硬化状態に到達するまでにインクに照射する紫外線の照射量と対応関係がある。
【００１０】
本願第１発明においては、温度情報を、情報設定手段が設定する。照射調整手段は、上記紫外線発生源が発生した紫外線の照射量の調整を行い、インクを上記初期硬化状態に到達させ、情報設定手段が設定した温度情報に対応する温度において、そのインクを所望の硬化状態にする。
【００１１】
吐出手段は、吐出制御手段の制御に基づき、上記情報設定手段が設定した温度情報に関連した関連温度情報を、被記録媒体の上記所定部分とは異なる部分に印刷することができる。関連温度情報を示すインクは、情報設定手段が設定した温度情報に対応した温度に達し、加熱されたことを原因として、紫外線の露光量に応じた初期硬化状態から当該温度情報に対応する温度における所望の硬化状態に進行するインクの外表面を得るための初期照射量の紫外線を露光される。被記録情報は、情報設定手段が設定した上記温度情報に関連した関連温度情報を含んでいる。
【００１２】
本願第１発明によれば、操作者は、被記録情報のインクが所望の硬化状態となる温度の目安を、被記録情報を印刷した所定部分とは別の部分の温度情報に関連した関連温度情報により、視覚的にわかりやすく認識することができる。
【００１３】
第２発明の記録装置は、上記第１発明において、前記吐出制御手段は、前記温度情報に関連した関連温度情報に加え、前記照射調整手段が調整した前記紫外線発生源が発生した紫外線の照射量を前記異なる部分に印刷するように、前記吐出手段による前記インクの吐出を制御することを特徴とする。
【００１４】
本願第２発明においては、操作者は、インクが所望の硬化状態となる温度に関連した関連温度情報に加え、当該硬化挙動を実現するため初期硬化状態までに照射する照射量も、確実に視覚的に認識することができる。
【００１５】
第３発明の記録装置は、上記第１発明において、前記照射調整手段は、前記紫外線発生源が発生した紫外線の照射量を段階的に増減するよう構成されており、段階的に調整可能な複数の段階照射量のうち、前記情報設定手段が設定した温度情報に対応した温度において前記所望の硬化状態を得るために前記インクに照射すべき目標照射量との差が最小となる初期照射量に、前記紫外線発生源が発生した紫外線の照射量を調整することを特徴とする。
【００１６】
本願第３発明においては、照射調整手段が複数の段階照射量を段階的に増減して調整を行う場合に、照射調整手段が、複数の段階照射量のうち目標照射量との差が最小の照射量を、情報設定手段が設定した温度情報に対応した温度に関係した初期照射量とする。本願第３発明によれば、段階的な段階照射量を用いつつ、情報設定手段が設定した温度情報に対応した温度においてインクの所望の硬化状態に最も近い硬化状態を確実に実現する。
【００１７】
第４発明の記録装置は、上記第１発明において、前記照射調整手段は、前記紫外線発生源が発生した紫外線の調整量を段階的に増減するよう構成されており、段階的に調整可能な複数の段階照射量のうち、前記情報設定手段が設定した温度情報に対応した温度において前記所望の硬化状態を得るために前記インクに照射すべき目標照射量未満でかつ当該目標照射量との差が最小となる初期照射量に、前記紫外線発生源が発生した紫外線の照射量を調整することを特徴とする。
【００１８】
本願第４発明においては、照射調整手段が複数の段階照射量を段階的に増減して調整を行う場合に、照射調整手段が、複数の段階照射量のうち目標照射量との差が最小となり、かつ、目標照射量より小さい段階照射量を、情報設定手段が設定した温度情報に対応した温度に関係した初期照射量とする。本願第４発明によれば、段階的な段階照射量を用いつつ、情報設定手段が設定した温度情報に対応した温度においてインクの所望の硬化状態に最も近い硬化状態を確実に実現する。また省エネルギを図ることができる。
【００１９】
第５発明の記録装置は、上記第１発明において、前記照射調整手段は、前記紫外線発生源が発生した紫外線の照射量を段階的に増減するよう構成されており、段階的に調整可能な複数の段階照射量のうち、前記情報設定手段が設定した温度情報に対応した温度において前記所望の硬化状態を得るために前記インクに照射すべき目標照射量より大きくかつ当該目標照射量との差が最小となる初期照射量に、前記紫外線発生源が発生した紫外線の照射量を調整することを特徴とする。
【００２０】
本願第５発明においては、照射調整手段が複数の段階照射量を段階的に増減して調整を行う場合に、照射調整手段が、複数の段階照射量のうち目標照射量との差が最小となり、かつ、目標照射量より大きい段階照射量を、情報設定手段が設定した温度情報に対応した温度に関係した初期照射量とする。本願第５発明によれば、段階的な段階照射量を用いつつ、情報設定手段が設定した温度情報に対応した温度においてインクの所望の硬化状態に最も近い硬化状態を確実に実現する。また半硬化状態を短くすることができる。
【００２１】
第６発明の記録装置は、上記第３乃至第５発明のいずれかにおいて、前記吐出制御手段は、前記温度情報に関連した関連温度情報として、前記情報設定手段が設定した温度情報に対応した温度に関係した初期照射量に対し、前記初期硬化状態から加熱により到達する温度と前記初期硬化状態から前記加熱により進行する前記インクの硬化状態との相関に基づき定められた温度情報に関連した関連温度情報を印刷するように、前記吐出手段による前記インクの吐出を制御することを特徴とする。
【００２２】
本願第６発明においては、紫外線発生源が発生した紫外線の照射量を段階的に調整する場合でも、所望の硬化状態に到達する温度情報を特定して、当該温度情報に関連した関連温度情報を被記録媒体の所定の部分以外の部分に印刷する。操作者は、所望の硬化状態が実際におおよそ何度（何℃）程度になると実現するのかを、視覚的に確実に認識することができる。
【００２３】
第７発明の記録装置は、上記第３乃至第６発明のいずれかにおいて、前記紫外線発生源は、発光することで紫外線を生じる複数個の発光素子を備え、前記照射調整手段が、発光させる前記発光素子の数を増減させることで前記複数の段階照射量を実現することを特徴とする。
【００２４】
照射調整手段が、発光させる発光素子の数を増減させて段階的に照射量を調整することにより、情報設定手段が設定した温度情報に対応した温度において所望の硬化状態に近い硬化状態を実現することができる。
【００２５】
第８発明の記録装置は、上記第３乃至第６発明のいずれかにおいて、前記紫外線発生源は、電流の変化によって異なる照射量の紫外線を生じる発光素子を備え、前記照射調整手段が、当該発光素子へ供給する電流を変化することで前記複数の段階照射量を実現することを特徴とする。
【００２６】
照射調整手段が、発光素子へ供給する電流を変化させて段階的に照射量を調整することにより、情報設定手段が設定した温度情報に対応した温度において所望の硬化状態に近い硬化状態を実現することができる。
【００２７】
第９発明の記録装置は、上記第１乃至第８発明のいずれかにおいて、前記照射調整は、前記情報設定手段が設定した温度情報に対応した温度に達したことによる所望の硬化状態として、前記インクに対し、ＪＩＳ  Ｚ３２８４に準拠したタッキング試験機による評価においてインクの引張荷重が０となるための最小値以上に紫外線がインクにより多く照射される初期照射量に、前記紫外線発生源が発生した紫外線の照射量を調整することを特徴とする。
【００２８】
本願第９発明においては、操作者は、インクが完全硬化状態となる温度の目安を、視覚的に確実に認識することができる。
【００２９】
第１０発明の記録装置は、上記第１乃至第９発明のいずれかにおいて、前記情報設定手段は、前記インクに対し、ＪＩＳ  Ｚ３２８４に準拠したタッキング試験機による評価においてインクの引張荷重が０となるときの照射量の最小値の０．０５倍〜０．９５倍の範囲である、前記紫外線発生源が発生した紫外線の照射量を実現する温度情報を設定することを特徴とする。
【００３０】
本願第１０発明においては、インクの初期硬化状態を、確実に半硬化状態に設定することができる。
【００３１】
第１１発明の記録装置は、上記第１乃至第１０発明のいずれかにおいて、前記吐出手段は、濡れ張力が３６以下である剥離体からなる前記被記録媒体にインクを吐出することを特徴とする。
【００３２】
初期硬化状態となった被記録媒体上のインクは粘着性を備えており、他の物体に粘着しやすい。被記録媒体の所定の部分に画像等の被記録情報を形成するとともに、他の物体に粘着させることで、他の物体に粘着可能な印刷結果物、すなわち粘着画像を構成することができる。この結果、記録装置内に載置できない対象にも、記録装置による画像等を設けることができる。
【００３３】
特に本願第１１発明においては、剥離体上にインクを吐出して積層することにより、転写時においてインクを容易に剥離体から剥離させ、被記録情報を確実に他の物体に転写することができる。操作者は、印刷結果物を生成後、剥離体の所定部分の被記録情報のインクが所望の硬化状態となる温度に関連した関連温度情報を、剥離体の当該所定部分以外に印刷した温度情報により、視覚的に確実に認識することができる。
【００３４】
所望の硬化状態をインクの粘着性がなくなる状態とした場合には、所定部分の被記録情報を転写可能な上限温度の目安を、所定部分以外の部分に表示することとなる。操作者は、温度が何度（何℃）くらいまでは転写可能であるかの目安を視覚的に明確に認識できるので、利便性が高い。
【００３５】
第１２発明の記録装置は、上記第１１発明において、前記吐出手段は、ポリプロピレンからなる前記被記録媒体にインクを吐出することを特徴とする。
【００３６】
転写時においてインクをさらに確実に剥離体から剥離させることができ、また画像をくっきりと定着させて視認性を向上することができる。
【００３７】
上記目的を達成するために、第１３発明の記録装置の制御プログラムは、被記録媒体を載置可能な載置手段と、紫外線の露光を契機に硬化を開始して当該紫外線の露光量に応じた初期硬化状態に到達し前記紫外線の露光を停止した後は前記初期硬化状態から加熱により硬化が進行するインクを吐出する吐出手段と、紫外線を発生する紫外線発生源と、を有する記録装置に備えられた制御手段に対し、温度情報を設定する情報設定手順と、前記載置手段が載置した前記被記録媒体の所定部分に対し被記録情報に関連した関連温度情報を印刷し、前記被記録媒体の前記所定部分とは異なる部分に対し前記情報設定手順で設定した前記温度情報を印刷するように、前記吐出手段による前記インクの吐出を制御する吐出制御手順と、前記情報設定手順で設定した温度情報に対応した温度に達したことによって、紫外線の露光量に応じた初期硬化状態から所望の硬化状態に進行するインクの外表面を得るための初期照射量の紫外線の照射を行うように、前記紫外線発生源が発生した紫外線の照射量を調整する照射調整手順と、を実行させるものである。
【００３８】
本願第１３発明の制御プログラムの制御対象となる記録装置は、載置手段と、吐出手段とを有する。吐出手段は、載置手段が載置した被記録媒体に対しインクの吐出を行い、所定部分に対し例えば画像などの被記録情報を被記録媒体に印刷して記録を行う。吐出手段が吐出するインクは、紫外線の露光を契機に硬化を開始し、紫外線の露光量に応じた初期硬化状態に到達する。初期硬化状態に到達した後に紫外線の露光を停止しても、インクはその後の加熱によってさらに硬化を進行する。インクが初期硬化状態の後に加熱により増加する硬化度は、加熱時に到達する温度、すなわち周囲温度等に対応する。紫外線照射により初期硬化状態に達した後、上記周囲温度等に応じて硬化度が増大し、所望の硬化状態に達する。所望の硬化状態が決まっている場合には、当該周囲温度等と、初期硬化状態に到達するまでにインクに照射する紫外線の照射量とは、対応関係がある。
【００３９】
本願第１３発明においては、情報設定手順で設定された温度情報に対応した温度に達し、加熱されたことを原因として、紫外線の露光量に応じた初期硬化状態から当該温度情報に当該対応する温度における所望の硬化状態に進行するインクの外表面を得るための初期照射量の紫外線を露光される。制御手段が制御プログラムの情報設定手順を実行すると、温度情報を設定する。制御手段が制御プログラムの照射調整手順を実行すると、紫外線発生源によって発生された紫外線の照射量の調整を行い、インクを上記初期硬化状態に到達させる。
【００４０】
制御手段が制御プログラムの吐出制御手順を実行すると、吐出手段は、上記情報設定手順で設定した温度情報に関連した関連温度情報を、被記録媒体の上記所定部分とは異なる部分に印刷することができる。
【００４１】
本願第１３発明によれば、操作者は、被記録情報のインクが所望の硬化状態となる温度の目安を、被記録情報を印刷した所定部分とは別の部分の温度情報に関連した関連温度情報により、視覚的にわかりやすく認識することができる。
【００４２】
上記目的を達成するために、第１４発明の被記録媒体上の記録物は、紫外線の露光を契機に硬化を開始して当該紫外線の露光量に応じた初期硬化状態に到達し前記紫外線の露光を停止した後は前記初期硬化状態から加熱により硬化が進行するインクを吐出し、被記録媒体の所定部分に対し被記録情報を印刷するとともに、被記録媒体の前記所定部分とは異なる部分に対し、前記紫外線発生源が発生した紫外線に関して、温度情報に関連した関連温度情報を印刷する、第１ステップと、前記第１ステップで前記被記録媒体に付着した前記インクが前記第１ステップにおいて印刷された関連温度情報に関連した温度情報に対応した温度に達したことによって、紫外線の露光量に応じた初期硬化状態から情報設定手段が設定した温度情報に対応した温度における所望の硬化状態に進行するインクの外表面を得るための初期照射量の紫外線を前記第１ステップで前記被記録媒体に付着した前記インクに照射する、第２ステップと、を実行することにより形成する。
【００４３】
本願第１４発明の記録物は、第１ステップと、第２ステップとを経て、被記録媒体上に形成する。
【００４４】
第１ステップで、被記録媒体に対しインクを吐出し、所定部分に対し例えば画像などの被記録情報を印刷する。インクは、紫外線の露光を契機に硬化を開始し、紫外線の露光量に応じた初期硬化状態に到達するインクである。初期硬化状態に到達した後に紫外線の露光を停止しても、インクはその後の加熱によってさらに硬化を進行する。インクが初期硬化状態の後に加熱により増加する硬化度は、加熱時に到達する温度、すなわち周囲温度等に対応する。紫外線照射により初期硬化状態に達した後、上記周囲温度等に応じて硬化度が増大し、所望の硬化状態に達する。所望の硬化状態が決まっている場合には、当該周囲温度等と、初期硬化状態に到達するまでにインクに照射する紫外線の照射量とは、対応関係がある。第１ステップでは、被記録媒体に対しインクを吐出し、上記温度に対応した温度情報を、上記所定部分とは異なる部分に印刷する。
【００４５】
本願第１４発明においては、第２ステップで、紫外線発生源が発生した紫外線の照射量を調整し、上記被記録媒体に付着したインクに対し、初期照射量の照射を行い、調整された照射量の紫外線によってインクを上記初期硬化状態に到達させる。
【００４６】
本願第１４発明によれば、操作者は、被記録情報のインクが所望の硬化状態となる温度の目安を、被記録情報を印刷した所定部分とは別の部分の温度情報に関連した関連温度情報により、視覚的にわかりやすく認識することができる。
【発明の効果】
【００４７】
本発明によれば、被記録媒体上のインクが所望の硬化状態となる温度に関連した情報を、被記録媒体上における被記録情報を印刷した所定部分とは別の部分に印刷することにより、操作者が、当該インクが所望の硬化状態となる温度の目安を視覚的に認識することができる。
【図面の簡単な説明】
【００４８】
【図１】本発明の一実施形態であるインクジェット記録装置の全体の概略構成を示す平面図及び正面図である。
【図２】インクジェット記録装置の要部の構成を示す斜視図である。
【図３】図２中ＩＩＩ−ＩＩＩ断面によるキャリッジの側断面図である。
【図４】図２中ＩＶ−ＩＶ断面によるキャリッジの側断面図である。
【図５】インクジェット記録装置の制御系統の機能構成を示すブロック図である。
【図６】ＣＰＵが実行する制御内容を表すフローチャートである。
【図７】ステップＳ１００の各印刷モード動作処理の詳細内容を表すフローチャートである。
【図８】ステップＳ２００の印刷処理の詳細内容を表すフローチャートである。
【図９】各種印刷設定を含むデータテーブルの一例を表す図である。
【図１０】データテーブルの別の例を表す図である。
【図１１】照射量設定処理の内容を表すフローチャートである。
【図１２】ステップＳ４００の照射量調整モード選択処理の詳細内容を表すフローチャートである。
【図１３】ステップＳ５００の温度入力による照射量調整％記憶処理の詳細内容を表すフローチャートである。
【図１４】ステップＳ７００の照射量調整％演算処理の詳細内容を表すフローチャートである。
【図１５】ステップＳ８００の電流増減モード処理の詳細内容を表すフローチャートである。
【図１６】ステップＳ９００の点灯個数増減モード処理の詳細内容を表すフローチャートである。
【図１７】ステップＳ９００の点灯個数増減モード処理の詳細内容を表すフローチャートである。
【図１８】インクジェット記録装置により作成した転写ラベルの外観の一例を表す、印刷層側から見た平面図である
【図１９】図１８に示す転写ラベルを用いて転写した対象物の一例を表す図である。
【図２０】積層グループや各積層グループに属する積層パターンの略図の一覧表である。
【図２１】積層グループや積層グループの概略を示した一覧表である。
【発明を実施するための形態】
【００４９】
以下、本発明の一実施の形態を図面を参照しつつ説明する。
【００５０】
図１（ａ）は本発明の一実施形態であるインクジェット記録装置１００（記録装置）の全体の概略構成を示す平面図であり、図１（ｂ）はその正面図である。図１（ａ）及び図１（ｂ）に示すように、インクジェット記録装置１００は、インクを吐出する印刷ヘッド１０１と、印刷ヘッド１０１を搭載するキャリッジ１０２と、キャリッジ１０２をＸ軸方向にガイドするＸ軸ガイドバー１０３と、キャリッジ１０２をＸ軸ガイドバー１０３に沿って駆動するＸ軸モータ１１１とを備えている。またインクジェット記録装置１００は、紙や布等の被印刷媒体１０４（被記録媒体）を載置可能な載置テーブル１０５と、載置テーブル１０５をＹ軸方向に駆動するＹ軸モータ１０８と、Ｙ軸モータ１０８の回転軸に連結し、載置テーブル１０５の下面の軸受１１２と螺合するボールネジ１０９と、載置テーブル１０５をＹ軸方向にガイドするガイドレール１１０と、ガイドレール１１０を支持すると共に、内蔵したＺ軸モータ（図示せず）により載置テーブル１０５をＺ軸方向に駆動可能な上下駆動機構１１３とを備えている。またインクジェット記録装置１００は、インクを収納したインクタンク１０６と、インクタンク１０６から印刷ヘッド１０１へインクを供給するための遮光性のインクチューブ１０７とを備えている。
【００５１】
載置テーブル１０５（載置手段）は、被印刷媒体１０４をエア吸着によって上面に固定した状態で載置可能である。図１に示す例では、載置テーブル１０５は２つの被印刷媒体１０４をＸ軸方向に並列して載置している。載置テーブル１０５は、Ｘ軸方向における左右両側端部に、印刷ヘッド１０１をフラッシングする際にインクを噴出するためのフラッシング穴１１４を有している。また、インクタンク１０６が収納するインクは、紫外線の露光を契機に硬化を開始して当該紫外線の露光量に応じた初期硬化状態に到達し紫外線の露光を停止した後は初期硬化状態から加熱により硬化が進行するＵＶインクであり、例えば、エポキシ化合物、オキセタン加工物、及びビニルエーテル加工物のうち少なくとも１つと、重合開始剤、増感剤等を含む、カチオン系のインクである。好適には、重合開始剤を１〜１０（重量％）、顔料を１〜１０（重量％）、モノマーを１０〜９５（重量％）含むインクである。なお、溶剤や水をさらに含んでもよい。このため、本実施形態のインクにおいては、紫外線の露光を契機に経時的にその外表面に関する粘着性の喪失が進行する。印刷ヘッド１０１は当該インクを被印刷媒体１０４に対して吐出する。
【００５２】
図２は、インクジェット記録装置１００の要部の構成を示す斜視図である。また図３は、図２中ＩＩＩ−ＩＩＩ断面によるキャリッジ１０２の側断面図であり、図４は、図２中ＩＶ−ＩＶ断面によるキャリッジ１０２の側断面図である。
【００５３】
図２乃至図４に示すように、キャリッジ１０２は、側断面が略Ｌ字型形状を有するアルミ合金等からなる熱伝導性部材である。キャリッジ１０２は、水平部１０２ａの前側（図２及び図３中左側）端部付近に印刷ヘッド１０１を搭載している。印刷ヘッド１０１（吐出手段）は、イエロー、マゼンタ、シアン、ブラックのインクを吐出する印刷ヘッド１０１Ｙ，１０１Ｍ，１０１Ｃ，１０１Ｋの他、透明インクを吐出する印刷ヘッド１０１Ｔ及び白インクを吐出する印刷ヘッド１０１Ｗを有している。またキャリッジ１０２は、印刷ヘッド１０１のＸ軸方向における左右両側に、紫外線を照射するＵＶ照射装置１２１を印刷ヘッド１０１を挟むように搭載している。
【００５４】
ＵＶ照射装置１２１（紫外線発生源）は、被印刷媒体１０４と対向する下面に、Ｘ軸方向及びＹ軸方向に沿って格子状に配列した複数のＵＶ−ＬＥＤ１２１ａ（発光素子）を有している。このＵＶ−ＬＥＤ１２１ａは、発光することで紫外線を生じ、電流の変化によって異なる照射量の紫外線を生じる。詳細は後述するが、ＵＶ照射装置１２１は、点灯（発光）させるＵＶ−ＬＥＤ１２１ａの数を増減させる、若しくは、ＵＶ−ＬＥＤ１２１ａに供給する電流を変化させることで複数の照射量を実現することが可能となっている。なお、本実施形態ではＵＶ照射装置１２１が被印刷媒体１０４に対し直接的に紫外線を照射する構成としているが、ＵＶ照射装置１２１は紫外線を発生するだけであり、その他の手段を介して被印刷媒体１０４に対し紫外線を照射するようにしてもよい。なお、上記照射量とは、インクジェット記録装置１００で１つの印刷対象を完成するまでに、その印刷対象を構成するインクが受ける照射量、すなわち１つの印刷対象が完成するまでに累積して照射された紫外線の量である。
【００５５】
キャリッジ１０２は、印刷ヘッド１０１及びＵＶ照射装置１２１を包み込むように、前面側にダクトカバー１２２を装着している。このダクトカバー１２２とキャリッジ１０２とが、印刷ヘッド１０１、ＵＶ照射装置１２１及びインクチューブ１０７を取り囲むチャンバー１２３を形成している。
【００５６】
キャリッジ１０２は、ダクトカバー１２２の中央上部にブロアファン１２７を有している。ブロアファン１２７は、図３及び図４中の直線矢印に示すように、チャンバー１２３内において気体の流動を引き起こす。ブロアファン１２７による気流は、印刷ヘッド１０１の背面に設けた熱交換用フィン１２８及びＵＶ照射装置１２１の上面に設けた熱交換用フィン１３３を介して印刷ヘッド１０１及びＵＶ照射装置１２１を冷却し、水平部１０２ａの後側（図２及び図３中右側）に設けた噴出口１３４から被印刷媒体１０４に向かって流出する。
【００５７】
印刷ヘッド１０１は、インク吐出口付近にヒータ１２９を備えている。ヒータ１２９は、印刷ヘッド１０１のインク吐出口付近を加熱することにより、吐出口付近のインクの粘度を吐出に最適な粘度とする。また印刷ヘッド１０１は、ヘッドの温度を検出するサーミスタ１３１を有している。ＵＶ照射装置１２１も同様に、装置の温度を検出するサーミスタ１３５を有している。これらのサーミスタ１３１，１３５は、印刷ヘッド１３１及びＵＶ照射装置１２１の温度を検出し、後述するＣＰＵ３０１に出力する。ＣＰＵ３０１は、この検出結果に基づいてブロアファン１２７の駆動を制御し、印刷ヘッド１０１及びＵＶ照射装置１２１を中心とするチャンバー１２３内の温度制御を行う。さらに、キャリッジ１０２は、水平部１０２ａの後端部に立設した垂直部１０２ｂに、補助ヒータ１３２を有している。補助ヒータ１３２は、チャンバー１２３内の温度制御を行う際の補助的役割を果たす。
【００５８】
図５は、インクジェット記録装置１００の制御系統の機能構成を示すブロック図である。図５に示すように、インクジェット記録装置１００の制御系統は、主として、ＣＰＵ３０１と、ＲＯＭ３０２と、ＥＥＰＲＯＭ３０２ａと、ＲＡＭ３０３と、入力インターフェース３０４と、出力インターフェース３０５とを備えている。出力インターフェース３０５は、印刷ヘッド１０１を駆動する印刷ヘッド回路３０６と、Ｘ軸モータ１１１を駆動するＸ軸モータ駆動回路３０７と、Ｙ軸モータ１０８を駆動するＹ軸モータ駆動回路３０８と、上下駆動機構１１３のＺ軸モータを駆動するＺ軸モータ駆動回路３０９と、ＵＶ照射装置１２１を駆動するＵＶ装置駆動回路３１０と、ブロアファン１２７を駆動するブロアファン駆動回路３１１と、ヒータ１２９を駆動するヒータ駆動回路３１２と、補助ヒータ１３２を駆動する補助ヒータ駆動回路３１３と、後述するＰＣ３２０が備える液晶ディスプレイであるＬＣＤ３２１とに接続する。また、入力インターフェース３０４は、印刷開始指令や印刷データ等の入力を行うためのＰＣ（パーソナルコンピュータ）３２０と、上述したサーミスタ１３１，１３５とに接続する。
【００５９】
ＲＡＭ３０３は、被印刷媒体１０４に印刷する画像データ（被記録情報）を、所定の記憶エリア（以下、主印刷情報記憶エリアと記載する）に記憶すると共に、インクの外表面が温度上昇に伴い初期硬化状態から所望の硬化状態になる温度に関する温度情報に関連した関連温度情報を、所定の記憶エリア（以下、副印刷情報記憶エリアと記載する）に記憶する。これらの温度情報等の詳細については後述する。
【００６０】
なお、上記温度情報に関連した関連温度情報とは、温度情報によって特定される温度と、上記画像データと共に印刷される関連温度情報によって特定される温度とが一致している場合の温度情報だけでなく、例えば後述する温度補正（図１３のステップＳ５３５参照）等により、温度情報に多少の値を足したり引いたりした結果、温度情報によって特定される温度と、画像データと共に印刷される関連温度情報によって特定される温度とが一致しない場合の温度情報も含むものである。
【００６１】
ＲＯＭ３０２は、各種の制御プログラム等を記憶する。ＣＰＵ３０１（制御手段）は、ＲＡＭ３０３の一時記憶機能を利用しつつ、ＲＯＭ３０２に記憶した上記制御プログラムに従って信号処理を行うことにより、後述する図６乃至図８及び図１１乃至図１７のフローチャートに示す制御内容を実行する。
【００６２】
図６は、ＣＰＵ３０１が実行する制御内容を表すフローチャートである。図６に示すように、ステップＳ１０では、ＣＰＵ３０１は印刷前処理を行う。印刷前処理は、操作者がＰＣ３２０の図示しないキーボードやマウス等の操作手段を介して行う印刷画像の選択や画像の配置・編集、印刷モードの選択、各種印刷設定の変更等の操作信号を入力し、当該操作信号に基づいて行う印刷の前処理である。このステップＳ１０において、ＣＰＵ３０１は、ＰＣ３２０が出力した、操作者が選択した印刷画像に対応した画像データを、入力インターフェース３０４を介して取得し、その画像データをＲＡＭ３０３の上記主印刷情報記憶エリアに記憶する。さらに、このステップＳ１０において、後述するＵＶ照射装置１２１の照射量の設定処理（後述の図１１参照）を行った場合には、ＣＰＵ３０１は、操作者が入力した温度情報等を、ＲＡＭ３０３の上記副印刷情報記憶エリアに記憶する。
【００６３】
なお、上記印刷モードは、被印刷媒体１０４の種類や印刷層の構成、インクの色・量や紫外線照射量等の各種印刷設定に応じて予め定まっており、ＲＡＭ３０３が所定の記憶エリアにデータテーブルとして記憶している（後述の図９及び図１０参照）。操作者はこれら複数の印刷モードの中から所望の印刷モードを選択することで、当該印刷モードに対応する印刷設定で印刷を行うことができる。印刷モードの詳細については後述する。
【００６４】
次のステップＳ２０では、ＣＰＵ３０１は、印刷を開始するか否かを判定する。ＣＰＵ３０１は、この判定をＰＣ３２０より印刷開始指令を入力したか否かを検出することにより行う。ＰＣ３２０より印刷開始指令を入力していない場合には（ステップＳ２０でＮＯ）、ステップＳ１０に戻る。一方、ＰＣ３２０より印刷開始指令を入力した場合には（ステップＳ２０でＹＥＳ）、ステップＳ１００に移行する。
【００６５】
ステップＳ１００では、ＣＰＵ３０１は、上記ステップＳ１０で設定した各種印刷設定に従って被印刷媒体１０４に対し印刷を実行する各印刷モード動作処理を実行する（詳細内容は後述の図７参照）。
【００６６】
ステップＳ３０では、ＣＰＵ３０１は、操作者がインクジェット記録装置１００の電源のＯＦＦ操作を行ったか否かを判定する。操作者が電源ＯＦＦ操作を行っていない場合には（ステップＳ３０でＮＯ）、先のステップＳ１０に戻り、上述と同様の処理を繰り返す。一方、操作者が電源のＯＦＦ操作を行った場合には（ステップＳ３０でＹＥＳ）、ステップＳ４０に移行し、ＣＰＵ３０１はインクジェット記録装置１００の終了処理を実行する。終了処理は、例えば起動中のＯＳやアプリケーションのシャットダウン等である。以上により、本フローチャートを終了する。
【００６７】
図７は、上記ステップＳ１００の各印刷モード動作処理の詳細内容を表すフローチャートである。図７に示すように、ステップＳ１０５では、ＣＰＵ３０１は初期印刷を行うか否かを判定する。初期印刷は、被印刷媒体１０４の表面に対し最初に行う印刷処理である。ＣＰＵ３０１は、前述したステップＳ１０の印刷前処理で設定した印刷モードに基づき、対応する初期印刷の完了回数（初期印刷を行う設定回数）に関わる情報をＲＡＭ３０３の所定の記憶エリア（以下、完了回数記憶エリアと記載する）から読み出し、当該初期印刷の完了回数が０より大きいか否かを判定する。初期印刷の完了回数が０である場合には（ステップＳ１０５でＮＯ）、初期印刷を行わないとみなし、後述のステップＳ１１５に直接移行する。一方、初期印刷の完了回数が０より大きい場合には（ステップＳ１０５でＹＥＳ）、初期印刷を行うとみなし、次のステップＳ１１０に移行する。
【００６８】
ステップＳ１１０では、ＣＰＵ３０１は、初期印刷に関わる各種設定を行う。具体的には、ＣＰＵ３０１は、前述したステップＳ１０の印刷前処理で設定した印刷モードに基づき、対応する初期印刷の色設定、インク量、紫外線照射量及び完了回数等をＲＡＭ３０３の所定の記憶エリアから読み出し、印刷モードに対応する印刷設定を行う。
【００６９】
ステップＳ２００では、ＣＰＵ３０１は、被印刷媒体１０４を載置した載置テーブル１０５を印刷ヘッド１０１によるインクの吐出及びＵＶ照射装置１２１による紫外線照射が可能な処理領域（図１に示す領域）に移動させ、上記ステップＳ１１０で設定した印刷設定に基づいた初期印刷を、設定した完了回数だけ行う印刷処理を実行する（詳細内容は後述の図８参照）。
【００７０】
ステップＳ１１５では、ＣＰＵ３０１は、中期印刷を行うか否かを判定する。中期印刷は、上記初期印刷により被印刷媒体１０４上に形成したインク層の表面に対し、あるいは初期印刷を行わなかった場合（初期印刷の完了回数が０だった場合）には被印刷媒体１０４の表面に対し行う印刷処理である。ＣＰＵ３０１は、前述したステップＳ１０の印刷前処理で設定した印刷モードに基づき、対応する中期印刷の完了回数に関わる情報をＲＡＭ３０３の上記完了回数記憶エリアから読み出し、当該中期印刷の完了回数が０より大きいか否かを判定する。中期印刷の完了回数が０である場合には（ステップＳ１１５でＮＯ）、中期印刷を行わないとみなし、後述のステップＳ１２５に直接移行する。一方、中期印刷の完了回数が０より大きい場合には（ステップＳ１１５でＹＥＳ）、中期印刷を行うとみなし、次のステップＳ１２０に移行する。
【００７１】
ステップＳ１２０では、ＣＰＵ３０１は、上記ステップＳ１１０と同様にして中期印刷に関わる各種印刷設定を行う。
【００７２】
ステップＳ２００では、ＣＰＵ３０１は、上記ステップＳ１２０で設定した印刷設定に基づいた中期印刷を、設定した完了回数だけ行う印刷処理を実行する（詳細内容は後述の図８参照）。
【００７３】
ステップＳ１２５では、ＣＰＵ３０１は、後期印刷を行うか否かを判定する。後期印刷は、上記中期印刷により被印刷媒体１０４上に形成したインク層の表面に対し、あるいは中期印刷を行わなかった場合（中期印刷の完了回数が０だった場合）には初期印刷で形成したインク層の表面若しくは被印刷媒体１０４の表面に対し行う印刷処理である。ＣＰＵ３０１は、前述したステップＳ１０の印刷前処理で設定した印刷モードに基づき、対応する後期印刷の完了回数に関わる情報をＲＡＭ３０３の上記完了回数記憶エリアから読み出し、当該後期印刷の完了回数が０より大きいか否かを判定する。後期印刷の完了回数が０である場合には（ステップＳ１２５でＮＯ）、後期印刷を行わないとみなし、後述のステップＳ１３５に直接移行する。一方、後期印刷の完了回数が０より大きい場合には（ステップＳ１２５でＹＥＳ）、後期印刷を行うとみなし、次のステップＳ１３０に移行する。
【００７４】
ステップＳ１３０では、ＣＰＵ３０１は、上記ステップＳ１１０と同様にして後期印刷に関わる各種印刷設定を行う。
【００７５】
ステップＳ２００では、ＣＰＵ３０１は、上記ステップＳ１３０で設定した印刷設定に基づいた後期印刷を、設定した完了回数だけ行う印刷処理を実行する（詳細内容は後述の図８参照）。
【００７６】
ステップＳ１３１では、ＣＰＵ３０１は、前述のステップＳ１０において、後述するＵＶ照射装置１２１の照射量の設定処理（後述の図１１参照）を行ったか否かを判定する。ＣＰＵ３０１は、後述する、ＲＡＭ３０３の照射量調整％記憶エリア、表示温度記憶エリアに値が記憶されているか否かにより、この判定を行う。照射量の設定処理を行っていない場合には（ステップＳ１３１でＮＯ）、後述のステップＳ１３５に移行する。一方、照射量の設定処理を行っている場合には（ステップＳ１３１でＹＥＳ）、次のステップＳ１３３に移行する。
【００７７】
ステップＳ１３３では、ＣＰＵ３０１は、副印刷に関わる各種設定を行う。ここで、上記初期印刷、中期印刷、後期印刷及び後述の仕上げは、前述した画像データを印刷する処理であるのに対し、副印刷は前述した温度情報等を印刷する処理である。ここでは、ＣＰＵ３０１は、前述したステップＳ１０の印刷前処理で設定した印刷モードに関わらず、紫外線照射量を完全硬化照射量（後述）とし、印刷の色を黒（その他の色でもよい）、完了回数を１回（複数回でもよい）、インク量を所定量に設定する。
【００７８】
ステップＳ２００Ａでは、ＣＰＵ３０１は、副印刷処理を行う。上記ステップＳ１３３で設定した印刷設定に基づいた副印刷を１回行う副印刷処理を実行する。この副印刷処理では、ＣＰＵ３０１は、上記ＲＡＭ３０３の副印刷情報記憶エリアから温度情報等（詳細には、ＲＡＭ３０３の照射量調整％記憶エリアの値、表示温度記憶エリアの値）を読み込み、上記ステップＳ２００の印刷処理と同様にして印刷を行う。このとき、ＣＰＵ３０１は、被印刷媒体１０４における、上記印刷処理で印刷した画像データの部分とは異なる部分に対し、温度情報等の印刷を行う。
【００７９】
ステップＳ１３５では、ＣＰＵ３０１は、操作者による手作業があるか否かを判定する。ここでいう手作業は、印刷途中の被印刷媒体１０４の所定部分に付着したインクに対して操作者が行う所望の作業や、操作者がインクの状態を目視にて確認することをいい、上記所望の作業は例えば被印刷媒体１０４に対して基材を載置する作業等である。ＣＰＵ３０１は、前述したステップＳ１０の印刷前処理で設定した印刷モードに基づき、対応する手作業の有無に関わる情報をＲＡＭ３０３の所定の記憶エリアから読み出し、手作業の有無を判定する。手作業がない場合には（ステップＳ１３５でＮＯ）、後述のステップＳ１６０に直接移行する。一方、手作業がある場合には（ステップＳ１３５でＹＥＳ）、次のステップＳ１４０に移行する。
【００８０】
ステップＳ１４０では、ＣＰＵ３０１は、出力インターフェース３０５を介してＬＣＤ３２１に表示信号を出力し、各種情報の表示を行う。各種情報には、例えば、上記ＲＡＭ３０３の照射量調整％記憶エリアの値（照射量情報）に対応した照射量、表示温度記憶エリアの値（温度情報）、補正の有無、補正内容の説明等の表示を行う。
【００８１】
ステップＳ１４５では、ＣＰＵ３０１は、印刷ヘッド１０１がフラッシングやパージ等のメンテナンス処理を必要とする状態であるか否かを判定し、必要な状態である場合には、当該メンテナンス処理を実行する。フラッシングは、印刷ヘッド１０１のインクを前述したフラッシング穴１１４内に一斉噴射することによってノズル面に発生した詰まりを除去する処理である。またパージは、図示しない吸引ポンプを用いて印刷ヘッド１０１のノズル面からインクを吸引する処理である。操作者が手作業を行う際にこのようなメンテナンス処理を実行することにより、印刷を行っていない時間を有効活用することができる。
【００８２】
ステップＳ１５０では、ＣＰＵ３０１は、出力インターフェース３０５を介してＹ軸モータ駆動回路３０８に駆動信号を出力してＹ軸モータ１０８及びボールネジ１０９を駆動させ、載置テーブル１０５をＹ軸方向に沿って移動させつつ上述した処理領域から作業位置に移動させる。載置テーブル１０５が当該作業位置に位置する際には、被印刷媒体１０４の上面がインクジェット記録装置１００の前方側（図１（ａ）中下側）に露出し、操作者が被印刷媒体１０４の所定部分に付着したインクに対し上述した所望の作業やインクの状態確認を実行することが可能となる。
【００８３】
なお、前述したようにインクジェット記録装置１００においては、印刷ヘッド１０１と載置テーブル１０５とが独立して移動することが可能な構成となっている。このため、ＣＰＵ３０１は、上記ステップＳ１４５のメンテナンス処理と上記ステップＳ１５０の作業位置移動処理とを同時並行して行う。これにより、動作時間を短縮し、処理効率を向上することができる。
【００８４】
ステップＳ１５５では、ＣＰＵ３０１は、操作者による手作業が完了したか否かを判定する。ＣＰＵ３０１は、この判定を、操作者がＰＣ３２０の上記操作手段を介して作業完了信号を入力したか否かを検出することにより行う。作業完了信号を検出しない場合には（ステップＳ１５５でＮＯ）本ステップを繰り返し、作業完了信号を検出した場合には（ステップＳ１５５でＹＥＳ）、次のステップＳ１６０に移行する。
【００８５】
ステップＳ１６０では、ＣＰＵ３０１は、印刷の仕上げを行うか否かを判定する。仕上げは、初期印刷、中期印刷及び後期印刷が終了し、操作者による手作業が行われた被印刷媒体１０４に対し、紫外線照射及び必要に応じて印刷を施すことで、一連の印刷処理の仕上げを行う処理である。ＣＰＵ３０１は、前述したステップＳ１０の印刷前処理で設定した印刷モードに基づき、対応する仕上げの完了回数に関わる情報をＲＡＭ３０３の上記完了回数記憶エリアから読み出し、当該仕上げの完了回数が０より大きいか否かを判定する。仕上げの完了回数が０である場合には（ステップＳ１６０でＮＯ）、仕上げを行わないとみなし、後述のステップＳ１７０に直接移行する。一方、仕上げの完了回数が０より大きい場合には（ステップＳ１６０でＹＥＳ）、仕上げを行うとみなし、次のステップＳ１６５に移行する。
【００８６】
ステップＳ１６５では、ＣＰＵ３０１は、上記ステップＳ１１０と同様にして仕上げ制御に関わる各種設定を行う。
【００８７】
ステップＳ２００では、ＣＰＵ３０１は、上記ステップＳ１６５で設定した制御設定に基づいた仕上げを、設定した完了回数だけ行う印刷処理を実行する（詳細内容は後述の図８参照）。
【００８８】
ステップＳ１７０では、ＣＰＵ３０１は、上記ステップＳ１５０と同様に、出力インターフェース３０５を介してＹ軸モータ駆動回路３０８に駆動信号を出力し、載置テーブル１０５をＹ軸方向に沿って移動させつつ上述した処理領域から排出位置に移動させる。載置テーブル１０５が当該排出位置に位置する際には、操作者は載置テーブル１０５から被印刷媒体１０４を取り外すことができる。以上により、本サブルーチンを終了する。
【００８９】
なお、操作者が所望の作業やインクの状態確認を実行可能な上記作業位置と、載置テーブル１０５から被印刷媒体１０４を取り外すことが可能な上記排出位置とは、同じ位置としてもよいし異なる位置としてもよい。作業位置と排出位置を同じ位置とした場合には、例えば何らかの不具合（作業の失敗や印刷の失敗）が生じた際に、操作者は迅速に被印刷媒体１０４を載置テーブル１０５から取り外すことができる。一方、作業位置と排出位置を異なる位置とする場合には、例えば排出位置を作業位置よりも装置内側とすることで、作業位置が排出位置よりも装置外側となるため、載置テーブル１０５が作業位置に移動した際に、操作者が印刷完了と間違って被印刷媒体１０４を載置テーブル１０５から取り外してしまうことを防止できる。また、作業位置が装置外側に位置するため、操作者が所望の作業やインクの状態確認をし易くなるという効果もある。
【００９０】
図８は、上記ステップＳ２００の印刷処理の詳細内容を表すフローチャートである。図８に示すように、ステップＳ２０３では、ＣＰＵ３０１は、上記ＲＡＭ３０３の主印刷情報記憶エリアから画像データを読み込む。
【００９１】
ステップＳ２０５では、ＣＰＵ３０１は、ＲＡＭ３０３の所定の記憶エリア（以下、動作回数記憶エリアと記載する）に動作回数「０」を記憶することで動作回数を初期化する。動作回数は、各印刷処理（初期印刷、中期印刷、後期印刷、仕上げ）を実際に行った回数であり、前述の各印刷モードごとに定まった完了回数とは異なるものである（後述の図９及び図１０参照）。
【００９２】
ステップＳ２１０では、ＣＰＵ３０１は、出力インターフェース３０５を介してＸ軸モータ駆動回路３０７に駆動信号を出力し、キャリッジ１０２をＸ軸方向に沿って移動させることで印刷ヘッド１０１を移動させる。これと共に、ＣＰＵ３０１は、出力インターフェース３０５を介してＹ軸モータ駆動回路３０８に駆動信号を出力し、載置テーブル１０５をＹ軸方向に沿って移動させる。このような印刷ヘッド１０１のＸ軸方向の移動と載置テーブル１０５のＹ軸方向の移動により、印刷ヘッド１０１を開始位置に移動させる。開始位置は、載置テーブル１０５に載置した被印刷媒体１０４に対する印刷開始位置の上方位置である。これにより、載置テーブル１０５は印刷ヘッド１０１によるインクの吐出及びＵＶ照射装置１２１による紫外線照射が可能な処理領域に移動したことになる。
【００９３】
ステップＳ２１５では、ＣＰＵ３０１は、ＵＶ照射装置１２１のＵＶ−ＬＥＤ１２１ａが点灯しているか否かを判定する。ＣＰＵ３０１は、この判定をＵＶ装置駆動回路３１０に対して照射信号を出力しているか否かにより行う。ＵＶ−ＬＥＤ１２１ａが点灯している場合には（ステップＳ２１５でＹＥＳ）、ステップＳ２２５に直接移行する。一方、ＵＶ−ＬＥＤ１２１ａが点灯していない場合には（ステップＳ２１５でＮＯ）、ステップＳ２２０に移り、ＣＰＵ３０１は、出力インターフェース３０５を介してＵＶ装置駆動回路３１０に照射信号を出力し、ＵＶ照射装置１２１のＵＶ−ＬＥＤ１２１ａを点灯させて紫外線の照射を開始する。そして、ステップＳ２２５に移行する。
【００９４】
なお、上記ステップＳ２２０におけるＵＶ照射装置１２１の照射量は、前述したステップＳ１０の印刷前処理で設定した印刷モードごとに定まっている（後述の図９及び図１０参照）。ＣＰＵ３０１は、設定した印刷モードに基づき、対応する照射量情報をＲＡＭ３０３の所定の記憶エリア（以下、照射量調整％記憶エリアと記載する）から読み出し、当該照射量となるように照射を行う。
【００９５】
ステップＳ２２５では、ＣＰＵ３０１は、図示しないポンプを駆動してインクタンク１０６から印刷ヘッド１０１へインクを供給すると共に、出力インターフェース３０５を介して印刷ヘッド駆動回路３０６に制御信号を出力し、印刷ヘッド１０１より被印刷媒体１０４に対してインクを吐出する。このときのインク量は、前述したステップＳ１０の印刷前処理で設定した印刷モードごとに定まっている（後述の図９及び図１０参照）。ＣＰＵ３０１は、設定した印刷モードに基づき、対応するインク量情報をＲＡＭ３０３の所定の記憶エリア（以下、インク量調整％記憶エリアと記載する）から読み出し、当該インク量となるようにインクの吐出を行う。
【００９６】
ステップＳ２３０では、ＣＰＵ３０１は、出力インターフェース３０５を介してＸ軸モータ駆動回路３０７に駆動信号を出力し、キャリッジ１０２をＸ軸方向に沿って移動させることで印刷ヘッド１０１をＸ軸方向に移動させる。これにより、Ｘ軸方向の印刷を行う。
【００９７】
ステップＳ２３５では、ＣＰＵ３０１は、Ｘ軸方向の印刷が完了したか否かを判定する。ＣＰＵ３０１は、この判定をキャリッジ１０２がＸ軸方向における所定位置まで移動したか否かを検出することにより行う。Ｘ軸方向の印刷が完了していない場合には（ステップＳ２３５でＮＯ）、上記ステップＳ２２５に戻りＸ軸方向の印刷を継続する。一方、Ｘ軸方向の印刷が完了した場合には（ステップＳ２３５でＹＥＳ）、次のステップＳ２４０に移行する。
【００９８】
ステップＳ２４０では、ＣＰＵ３０１は、出力インターフェース３０５を介してＹ軸モータ駆動回路３０８に駆動信号を出力し、載置テーブル１０５をＹ軸方向に沿って移動させる。これにより、載置テーブル１０５はＹ軸方向に一行分移動する。なおこのとき、例えば被印刷媒体１０４の表面に凹凸があったり、被印刷媒体１０４が立体的形状を有するような場合には、ＣＰＵ３０１は必要に応じてＺ軸モータ駆動回路３０９にも駆動信号を出力し、載置テーブル１０５をＺ軸方向にも移動させる。
【００９９】
ステップＳ２４５では、ＣＰＵ３０１は、Ｙ軸方向の印刷が完了したか否かを判定する。ＣＰＵ３０１は、この判定を載置テーブル１０５がＹ軸方向における所定位置まで移動したか否かを検出することにより行う。Ｙ軸方向の印刷が完了していない場合には（ステップＳ２４５でＮＯ）、上記ステップＳ２２５に戻り再びＸ軸方向の印刷を行う。一方、Ｙ軸方向の印刷が完了した場合には（ステップＳ２４５でＹＥＳ）、次のステップＳ２５０に移行する。
【０１００】
ＣＰＵ３０１は、上述したステップＳ２２５〜ステップＳ２４５をＹ軸方向の印刷が完了するまで繰り返す。この間、キャリッジ１０２をＸ軸方向に移動させて印刷ヘッド１０１により一行分のインクを吐出した後、載置テーブル１０５をＹ軸方向に一行分移動させ、再び印刷ヘッド１０１による次の行分のインクの吐出を実行することを繰り返す。このようにして、上記ＲＡＭ３０３の主印刷情報記憶エリアから読み込んだ画像データの印刷を行う
【０１０１】
ステップＳ２５０では、ＣＰＵ３０１は、上記ステップＳ２０５においてＲＡＭ３０３の上記動作回数記憶エリアに記憶した動作回数に１を加算し、次のステップＳ２５５において動作回数記憶エリアの内容を当該加算した動作回数に更新する。
【０１０２】
ステップＳ２６０では、ＣＰＵ３０１は、印刷動作を完了するか否かを判定する。具体的には、ＣＰＵ３０１は、前述したステップＳ１０の印刷前処理で設定した印刷モードに基づき、対応する印刷の完了回数に関わる情報をＲＡＭ３０３の上記完了回数記憶エリアから読み出し、上記ステップＳ２５５で上記動作回数記憶エリアに記憶した動作回数が、上記読み出した完了回数に達しているか否かを判定する。動作回数が完了回数に達していない場合には（ステップＳ２６０でＮＯ）、先のステップＳ２１０に戻り、再び同様の手順を繰り返す。一方、動作回数が完了回数に達している場合には（ステップＳ２６０でＹＥＳ）、ステップＳ２６５に移行する。
【０１０３】
ステップＳ２６５では、ＣＰＵ３０１は、出力インターフェース３０５を介してＵＶ装置駆動回路３１０に停止信号を出力し、ＵＶ照射装置１２１のＵＶ−ＬＥＤ１２１ａを消灯させて紫外線の照射を停止する。以上により、本サブルーチンを終了する。
【０１０４】
なお、前述したステップＳ２００Ａの副印刷処理は、上記ステップＳ２００の印刷処理のステップＳ２０３において、ＲＡＭ３０３の主印刷情報記憶エリアから画像データを読み込む代わりに、副印刷情報記憶エリアから、後述するＵＶ照射装置１２１の照射量の設定処理（後述の図１１参照）において操作者が入力した温度情報及び当該設定した照射量を読み込むこと以外は、上記ステップＳ２００の印刷処理と同様の内容となる。但し副印刷処理では、前述したように、被印刷媒体１０４における、上記印刷処理で印刷した画像データの部分とは異なる部分に対し、温度情報等の印刷を行う。
【０１０５】
上述したステップＳ２００の印刷処理においては、ＣＰＵ３０１は、載置テーブル１０５が載置した被印刷媒体１０４の所定部分に対し、画像データを印刷し、被印刷媒体１０４の上記所定の部分とは異なる部分に対し、後述するステップＳ５７０によりＲＡＭ３０３の副印刷情報記憶エリアに記憶した温度情報に関連した関連温度情報を印刷するように、印刷ヘッド１０１によるインクの吐出を制御することになる。したがって、このステップＳ２００は、特許請求の範囲に記載の吐出制御手段として機能すると共に、吐出制御手順及び第１ステップに相当する。また、ステップＳ２００の印刷処理においては、ＣＰＵ３０１は、被印刷媒体１０４に付着したインクが、印刷された関連温度情報に関連した温度情報に対応した温度に達したことによって、紫外線の露光量に応じた初期硬化状態から後述するステップＳ５７０によりＲＡＭ３０３の副印刷情報記憶エリアに記憶した温度情報に対応した温度における所望の硬化状態に進行するインクの外表面を得るための初期照射量の紫外線を、被印刷媒体１０４に付着したインクに照射することになる。したがって、ステップＳ２００は、特許請求の範囲に記載の第２ステップにも相当する。
【０１０６】
次に、上述した制御内容に基づいてインクジェット記録装置１００が行う具体的な動作について説明する。図９は、各種印刷設定を含むデータテーブルの一例を表す図である。ＲＡＭ３０３は、このデータテーブルを所定の記憶エリアに記憶している。
【０１０７】
図９に示すデータテーブルは、インクジェット記録装置１００で印刷ラベルを作成する場合のテーブルである。この印刷ラベルはいわゆるラミネートタイプのラベルであり、被印刷媒体１０４としてＰＥＴ（ポリエチレンテレフタレート）フィルム等の透明な材料を用い、この被印刷媒体１０４に対し鏡像印刷を行う。その上で、最終の印刷層における照射量をインクを「完全硬化」させる場合よりも少なめにしてインクを「半硬化」させることにより、当該インクの粘着性を利用して作成した印刷ラベルを対象物に貼り付け可能とするものである。
【０１０８】
ここで、上記「完全硬化」とは、インクが硬化することにより粘着性をほぼ完全に喪失した状態であり、具体的には当該インクを粘着剤として使用した場合に、ＪＩＳ  Ｚ３２８４に準拠したタッキング試験機による評価においてインクの引張荷重が０となる状態である。なお、「完全硬化」のための照射量としては、「完全硬化」の状態になるときの照射量の最小値以上であればいい。また「半硬化」とは、インクが硬化により完全には粘着性を喪失していない状態であり、具体的にはインクが上記「完全硬化」の状態になるときの照射量の最小値である完全硬化照射量の０．０５倍〜０．９５倍の範囲の照射量によって当該インクが硬化した状態である。
【０１０９】
図９に示す各印刷モードのうち、モード番号が「１９」〜「２５」である印刷モードは、図に示すように手作業及び仕上げの処理を行わないモードである。一方、図９に示す各印刷モードのうち、モード番号が「２６」〜「３１」である印刷モードは、図に示すように手作業及び仕上げの両方の処理を行うモードである。
【０１１０】
以下に、操作者が図９中の印刷モード「２９」を選択した場合について説明する。操作者がＰＣ３２０の図示しないキーボードやマウス等の操作手段を介して印刷モード「２９」を選択すると、ＣＰＵ３０１は、図６に示すステップＳ１０において、入力インターフェース３０４を介して当該モードを特定する信号を入力し、印刷モードを「２９」に設定する。なお、このように操作者がモード選択操作を行うのではなく、例えば画像データにモードを特定するデータが含まれており、操作者が印刷する画像を選択するとＣＰＵ３０１が画像データに含まれる上記データに従ってモード設定を行う構成としてもよい。
【０１１１】
その後、操作者が被印刷媒体１０４を載置テーブル１０５に載置し、ＰＣ３２０より印刷開始指令を入力すると（ステップＳ２０でＹＥＳ）、ステップＳ１００に移行して、ＣＰＵ３０１は各印刷モード動作処理を実行する。印刷モード「２９」では初期印刷の完了回数が「１」となっているため（ステップＳ１０５でＹＥＳ）、ステップＳ１１０においてＣＰＵ３０１は印刷モード「２９」に対応した初期印刷各種設定を行う。具体的には、図９に示すように、ＣＰＵ３０１は初期印刷の色設定を画像データに従った色である原色（イエロー、マゼンタ、シアン、ブラック、又は白）、インク量の設定値であるインク量調整％を５０％、照射量の設定値である照射量調整％を１００％に設定する。そして、ステップＳ２００においてＣＰＵ３０１は上記印刷設定に基づいて１回の初期印刷処理を実行する。
【０１１２】
なお、上記インク量調整％の値は、完全硬化しつつ１回の印刷で印刷処理を完了する場合のインク量を１００％とした場合の値であり、上記照射量調整％の値は、上述した完全硬化照射量（インクが「完全硬化」の状態となるときの照射量の最小値）を１００％とした場合の値である。印刷モード「２９」では、初期印刷と中期印刷の２回の印刷を行うため、それぞれにおけるインク量は半分の５０％に設定している。また、初期印刷の照射量は完全硬化照射量である１００％に設定しているため、初期印刷でのインクは「完全硬化」した状態となる。
【０１１３】
次に、印刷モード「２９」では中期印刷の完了回数が「１」となっているため（ステップＳ１１５でＹＥＳ）、ステップＳ１２０においてＣＰＵ３０１は印刷モード「２９」に対応した中期印刷各種設定を行う。設定内容は上記初期印刷と同様である。そして、ステップＳ２００においてＣＰＵ３０１は上記印刷設定に基づいて１回の中期印刷処理を実行する。なお、当該中期印刷での照射量も完全硬化照射量である１００％に設定しているため、中期印刷でのインクは「完全硬化」した状態となる。
【０１１４】
次に、印刷モード「２９」では後期印刷の完了回数が「０」となっているため（ステップＳ１２５でＮＯ）、ＣＰＵ３０１は後期印刷を行わずに処理をステップＳ１３５に移行する。そして、印刷モード「２９」では手作業が「有り」となっているため（ステップＳ１３５でＹＥＳ）、ステップＳ１４０及びステップＳ１４５において、ＣＰＵ３０１は各種情報表示及び必要に応じてメンテナンス処理を行う。さらにステップＳ１５０において、ＣＰＵ３０１は載置テーブル１０５を処理領域から作業位置に移動させる。このとき、印刷モード「２９」では手作業の種類が「目視確認」であるため、操作者はインクの状態の視覚的な確認を行う。例えば、この時点では初期印刷及び中期印刷による２層の印刷が行われているため、操作者はそれらの印刷層について所定の印刷品質（例えば、インクが所定の色を発色しているか否か、インクが被印刷媒体１０４に適正に載っているか否か等）を有しているか否か、あるいは、印刷対象自体が操作者が選択したものと適合しているか否か、さらには、被印刷媒体１０４に滲みや汚れ等がないか、埃やゴミ等の付着はないか、しわや折り目等が生じてないか等について、目視により確認することができる。
【０１１５】
目視による確認作業が完了し、操作者がその旨をＰＣ３２０の操作手段を介して入力すると（ステップＳ１５５でＹＥＳ）、ＣＰＵ３０１は処理をステップＳ１６０に移行する。そして、印刷モード「２９」では仕上げの完了回数が「１」となっているため（ステップＳ１６０でＹＥＳ）、ステップＳ１６５においてＣＰＵ３０１は印刷モード「２９」に対応した仕上げ制御各種設定を行う。具体的には、図９に示すように、ＣＰＵ３０１は仕上げ印刷の色設定を透明（クリア）、インク量調整％を１００％、照射量調整％を５０％に設定する。そして、ステップＳ２００においてＣＰＵ３０１は上記印刷設定に基づいて１回の仕上げ印刷処理を実行する。
【０１１６】
ここでは、仕上げの照射量を完全硬化照射量の５０％に設定しているため、仕上げ印刷でのインクは「半硬化」した状態となる。これにより、当該インクの粘着性を利用して作成した印刷ラベルを対象物に貼り付けることが可能となっている。すなわち、当該仕上げで形成した印刷層は粘着層として機能する。
【０１１７】
その後、ステップＳ１７０において、ＣＰＵ３０１は載置テーブル１０５を処理領域から排出位置に移動させる。これにより、操作者は印刷が完了した被印刷媒体１０４を載置テーブル１０５から取り外すことができる。
【０１１８】
次に、操作者が、例えば図９中の印刷モード「１９」を選択した場合について説明する。この印刷モード「１９」では、初期印刷、中期印刷及び後期印刷の完了回数が全て「１」となっており（ステップＳ１０５、ステップＳ１１５、ステップＳ１２５でＹＥＳ）、手作業が「無し」（ステップＳ１３５でＮＯ）、且つ、仕上げの完了回数が「０」となっているため（ステップＳ１６０でＮＯ）、ＣＰＵ３０１はステップＳ１１０、ステップＳ１２０、ステップＳ１３０で印刷モード「１９」に対応した印刷各種設定を行い、それぞれのステップＳ２００において上記印刷設定に基づき初期印刷、中期印刷及び後期印刷を各１回ずつ実行する。ここでは、後期印刷の照射量を完全硬化照射量の５０％に設定しているため、後期印刷でのインクが「半硬化」した状態となり、当該印刷層が粘着層として機能する。その後、ステップＳ１７０において、ＣＰＵ３０１は載置テーブル１０５を処理領域から排出位置に移動させる。
【０１１９】
なお、上記ではインクを「半硬化」させるための照射量を完全硬化照射量の５０％としたが、これに限らず、完全硬化照射量の５％〜９５％の範囲の照射量であればよい（以下においても同様）。下限値を５％としたのは、これより下の値ではインクが液体に近い状態となり粘着性を得ることができないからである。また上限値を９５％としたのは、これより上の値ではインクが「完全硬化」に近い硬化状態となりこの場合も粘着性を得ることができないからである。そして、インクを「半硬化」させるための照射量は、後述する照射量設定処理により入力された温度情報に基づいて調整することが可能である（図１１参照）。
【０１２０】
図１０は、データテーブルの別の例を表す図である。図１０に示すデータテーブルのうち、印刷モード「４４」〜「４９」は、インクジェット記録装置１００で転写ラベルを作成する場合のテーブルである。この転写ラベルは、被印刷媒体１０４（剥離体）として例えば濡れ張力が３６以下であるＰＰ（ポリプロピレン）等の材料を用い、この被印刷媒体１０４に対し鏡像印刷を行う。その上で、最終の印刷層におけるインクを「半硬化」させることにより、当該インクの粘着性を利用して作成した転写ラベルを対象物に貼り付け、被印刷媒体１０４上に形成した印刷層を対象物に転写可能とするものである。被印刷媒体１０４として濡れ張力の小さいＰＰ等の材料を用いることにより、被印刷媒体１０４上のインクを剥がれ易くし、転写し易い構成となっている。
【０１２１】
以下、例えば図１０中の印刷モード「４７」を選択した場合について説明する。この印刷モード「４７」では、初期印刷、中期印刷及び後期印刷の完了回数が全て「１」となっているため（ステップＳ１０５、ステップＳ１１５、ステップＳ１２５でＹＥＳ）、ＣＰＵ３０１はステップＳ１１０、ステップＳ１２０、ステップＳ１３０で印刷モード「４７」に対応した印刷各種設定を行い、それぞれのステップＳ２００において上記印刷設定に基づき初期印刷、中期印刷及び後期印刷を各１回ずつ実行する。ここでは、後期印刷の照射量を完全硬化照射量の５０％に設定しているため、後期印刷でのインクが「半硬化」した状態となり、当該印刷層が被印刷媒体１０４に対し後述する基材を粘着させる粘着層として機能する。
【０１２２】
そして、印刷モード「４７」では手作業が「有り」となっているため（ステップＳ１３５でＹＥＳ）、ステップＳ１４０及びステップＳ１４５において、各種情報表示及び必要に応じてメンテナンス処理を行う。その後、ステップＳ１５０において、ＣＰＵ３０１は載置テーブル１０５を処理領域から作業位置に移動させる。このとき、印刷モード「４７」では手作業の種類が「基材載置」であるため、操作者は露出した被印刷媒体１０４に対して基材を載置して付着させる。この基材としては、例えば上述した印刷モード「２９」での被印刷媒体１０４と同様の材料であるＰＥＴ樹脂等を用いることができる。このように基材を後期印刷層と後述の仕上げ印刷層の中間に添加することにより、転写後の被印刷媒体１０４から剥がれた印刷層の耐久性を向上することができる。
【０１２３】
上記作業が完了し、操作者がその旨をＰＣ３２０の操作手段を介して入力すると（ステップＳ１５５でＹＥＳ）、ＣＰＵ３０１は処理をステップＳ１６０に移行する。そして、印刷モード「４７」では仕上げの完了回数が「１」となっているため（ステップＳ１６０でＹＥＳ）、ステップＳ１６５においてＣＰＵ３０１は印刷モード「４７」に対応した仕上げ制御各種設定を行う。具体的には、図１０に示すように、ＣＰＵ３０１は仕上げ印刷の色設定を画像データに従った色である原色（イエロー、マゼンタ、シアン、ブラック、又は白）、インク量調整％を５０％、照射量調整％を５０％に設定する。そして、ステップＳ２００においてＣＰＵ３０１は上記印刷設定に基づいて１回の仕上げ印刷処理を実行する。このように仕上げの照射量を完全硬化照射量である５０％に設定しているため、仕上げ印刷でのインクが「半硬化」した状態となり、当該印刷層が作成した転写ラベルを対象物に粘着させる粘着層として機能する。なお、この仕上げ印刷でのインクを「半硬化」させるための照射量は、後述する照射量設定処理により入力された温度情報に基づいて調整することが可能である（図１１参照）。
【０１２４】
その後、ステップＳ１７０において、ＣＰＵ３０１は載置テーブル１０５を処理領域から排出位置に移動させる。操作者は、このようにして作成した転写ラベルを上記「半硬化」状態の印刷層を利用して対象物に貼り付ける。これにより、初期印刷層が印刷媒体１０４から剥がれ、初期印刷層、中期印刷層、後期印刷層、基材、仕上げ印刷層からなる印刷結果物が対象物に転写する。なお、転写前においては、被印刷媒体１０４上に初期印刷層、中期印刷層、後期印刷層、基材及び仕上げ印刷層の順に積層した構成だったが、転写後においては、対象物上に仕上げ印刷層、基材、後期印刷層、中期印刷層及び初期印刷層の順に積層した構成となる。
【０１２５】
一方、図１０示すデータテーブルのうち、印刷モード「１」〜「６」は、上記入力された温度情報に関係なく、固定的に定められた所定の硬化状態（この例では完全硬化状態）を実現するための照射量設定を行うモードである。次に、操作者が例えば図１０中の印刷モード「５」を選択した場合について説明する。この印刷モード「５」では、初期印刷、中期印刷及び後期印刷の完了回数が全て「１」となっており（ステップＳ１０５、ステップＳ１１５、ステップＳ１２５でＹＥＳ）、手作業が「無し」（ステップＳ１３５でＮＯ）、且つ、仕上げの完了回数が「０」となっているため（ステップＳ１６０でＮＯ）、ＣＰＵ３０１はステップＳ１１０、ステップＳ１２０、ステップＳ１３０で印刷モード「５」に対応した印刷各種設定を行い、それぞれのステップＳ２００において上記印刷設定に基づき初期印刷、中期印刷及び後期印刷を各１回ずつ実行する。ここでは、初期印刷、中期印刷及び後期印刷の全てについて照射量を完全硬化照射量である１００％に設定しているため、各印刷でのインクは「完全硬化」した状態となる。その後、ステップＳ１７０において、ＣＰＵ３０１は載置テーブル１０５を処理領域から排出位置に移動させる。
【０１２６】
次に、ＵＶ照射装置１２１の照射量の設定処理について説明する。この照射量設定処理は、前述したステップＳ１０の印刷前処理において、操作者が照射量の設定若しくは設定変更を行う旨の操作入力を行った場合に、ＣＰＵ３０１が実行する処理である。図１１は、この照射量設定処理の内容を表すフローチャートである。
【０１２７】
まずステップＳ４００では、ＣＰＵ３０１は、照射量調整モード選択処理を実行する。照射量調整モード選択処理は、ＵＶ照射装置１２１の照射量をどのようにして調整するかを、予め定まった複数のモードの中から選択する処理である（詳細内容は後述の図１２参照）。
【０１２８】
ステップＳ３１０では、ＣＰＵ３０１は、出力インターフェース３０５を介してＬＣＤ３２１に表示信号を出力し、照射量の設定入力を促す入力促進表示を行う。本実施形態では、ＵＶ照射装置１２１の照射量を設定するために、操作者はインクの外表面が温度上昇に伴い初期硬化状態から所望の硬化状態になる温度に関する温度情報を入力することができる。この温度情報は、すなわち、加熱された後のインクの温度状態を設定するための情報である。
【０１２９】
このように、操作者が温度情報を入力できる構成とすることで、次のような利点がある。すなわち、このようにインクの硬化度の進行に関連した温度についての基準値となる温度情報を入力することで、当該温度情報に基づき所望のインク状態となるように、インクに対して紫外線を照射することができる。温度についての外的要因が所定の条件を満たした場合、インクが所望の状態になっており、そのインクの硬化度の変位に合わせた用途に印刷結果である上記印刷ラベルや転写ラベルを用いることができる。作成した印刷ラベルや転写ラベルを物品に密着させ、温度についての外的要因が所定の条件を満たした場合、物品から印刷ラベルや転写させた印刷結果物を引き剥がすには、負荷が必要となる。本実施形態のインクジェット記録装置１００が作成した印刷ラベルや転写ラベルを用いれば、所定の温度に達した使用が望まれない食品等（例えば刺身等の生鮮食品、酒類等）であるか否か、若しくは、所定の温度に達してはいないがその温度に近づいたために使用が望まれない食品等であるかといった判断材料を、その負荷に基づき操作者に明示することができる。これにより、使用が望まれない食品等の使用を低減できる。
【０１３０】
ステップＳ３２０では、ＣＰＵ３０１は、上記入力促進表示に応じて操作者がＰＣ３２０の前述した操作手段を介して照射量の設定入力を行ったか否かを判定する。入力がない場合には（ステップＳ３２０でＮＯ）入力があるまで本ステップを繰り返し、入力があった場合には（ステップＳ３２０でＹＥＳ）次のステップＳ５００に移行する。
【０１３１】
なお、このように操作者が直接設定入力を行うのではなく、例えば画像データに温度を特定するデータが含まれており、操作者が印刷する画像を選択するとＣＰＵ３０１が画像データに含まれる上記データに従って温度情報の設定入力を行う構成としてもよい。
【０１３２】
ステップＳ５００では、ＣＰＵ３０１は、入力された温度情報に基づいて照射量を設定・記憶する、温度入力による照射量調整％記憶処理を実行する（詳細内容は後述の図１３参照）。以上により、本サブルーチンを終了する。
【０１３３】
図１２は、上記ステップＳ４００の照射量調整モード選択処理の詳細内容を表すフローチャートである。図１２に示すように、ステップＳ４０５では、ＣＰＵ３０１は、出力インターフェース３０５を介してＬＣＤ３２１に表示信号を出力し、照射量調整モードの設定入力を促す入力促進表示を行う。
【０１３４】
ステップＳ４１０では、ＣＰＵ３０１は、上記入力促進表示に応じて操作者がＰＣ３２０の前述した操作手段を介して照射量調整モードの設定入力を行ったか否かを判定する。入力がない場合には（ステップＳ４１０でＮＯ）入力があるまで本ステップを繰り返し、入力があった場合には（ステップＳ４１０でＹＥＳ）次のステップＳ４１５に移行する。
【０１３５】
ステップＳ４１５では、ＣＰＵ３０１は、操作者が入力した照射量調整モードが「電流増減モード」であるか否かを判定する。本実施形態では、照射量を調整するモードとして、大きく分けて、ＵＶ照射装置１２１のＵＶ−ＬＥＤ１２１ａに供給する電流を変化させて照射量を調整する「電流増減モード」と、ＵＶ−ＬＥＤ１２１ａの点灯個数を増減して照射量を調整する「点灯個数増減モード」との２つがある。操作者が入力した照射量調整モードが「点灯個数増減モード」である場合には（ステップＳ４１５でＮＯ）、後述のステップＳ４２５に直接移行する。一方、操作者が入力した照射量調整モードが「電流増減モード」である場合には（ステップＳ４１５でＹＥＳ）、次のステップＳ４２０に移行する。
【０１３６】
ステップＳ４２０では、ＣＰＵ３０１は、操作者が入力した照射量調整モードである「電流増減モード」をＲＡＭ３０３の所定の記憶エリア（以下、調整モード記憶エリアと記載する）に記憶する。
【０１３７】
ステップＳ４２５では、ＣＰＵ３０１は、操作者が入力した照射量調整モードが「近似優先モード」であるか否かを判定する。本実施形態では、操作者が「点灯個数増減モード」を選択した場合において、さらに点灯個数をどのように決定するかを設定するための後述する複数のモードを用意している。すなわち、ＵＶ−ＬＥＤ１２１ａの点灯個数を増減して照射量を調整する場合には、点灯個数に対応して予め決められた段階的な複数の照射量（以下、段階照射量と記載する）のうちのいずれかを選択することにより、操作者が入力した温度情報に対応した温度において所望の硬化状態（ここでは完全硬化状態）を得るために、インクに照射すべき目標照射量を決定することになる。例えば、ＵＶ−ＬＥＤ１２１ａの個数が２０個である場合、５％ずつ増減する段階的な段階照射量（０％、５％、１０％、・・・、９５％、１００％）の中から目標照射量を決定することになる。「近似優先モード」は、操作者が入力した上記温度情報に基づいてＣＰＵ３０１が算出した目標照射量が、上記段階的な複数の段階照射量と一致しない場合に、段階的に調整可能な複数の段階照射量のうち、後述するステップＳ５７０で記憶した温度情報に対応した温度において所望の硬化状態（ここでは完全硬化状態）を得るためにインクに照射すべき目標照射量との差が最小となる初期照射量に、ＵＶ照射装置１２１が発生した紫外線の照射量を調整するモードである。操作者が入力した照射量調整モードが「近似優先モード」でない場合には（ステップＳ４２５でＮＯ）、後述のステップＳ４３５に移行する。一方、操作者が入力した照射量調整モードが「近似優先モード」である場合には（ステップＳ４２５でＹＥＳ）、次のステップＳ４３０に移行する。
【０１３８】
ステップＳ４３０では、ＣＰＵ３０１は、操作者が入力した照射量調整モードである「近似優先モード」をＲＡＭ３０３の上記調整モード記憶エリアに記憶する。
【０１３９】
ステップＳ４３５では、ＣＰＵ３０１は、操作者が入力した照射量調整モードが「高い方優先モード」であるか否かを判定する。「高い方優先モード」は、操作者が入力した上記温度情報に基づいてＣＰＵ３０１が算出した目標照射量が、上記段階的な複数の段階照射量と一致しない場合に、段階的に調整可能な複数の段階照射量のうち、上記目標照射量より大きく且つ当該目標照射量との差が最小となる初期照射量に、ＵＶ照射装置１２１が発生した紫外線の照射量を調整するモードである。操作者が入力した照射量調整モードが「高い方優先モード」でない場合には（ステップＳ４３５でＮＯ）、後述のステップＳ４４５に移行する。一方、操作者が入力した照射量調整モードが「高い方優先モード」である場合には（ステップＳ４３５でＹＥＳ）、次のステップＳ４４０に移行する。
【０１４０】
ステップＳ４４０では、ＣＰＵ３０１は、操作者が入力した照射量調整モードである「高い方優先モード」をＲＡＭ３０３の上記調整モード記憶エリアに記憶する。
【０１４１】
ステップＳ４４５では、ＣＰＵ３０１は、操作者が入力した照射量調整モードが「低い方優先モード」であるか否かを判定する。「低い方優先モード」は、操作者が入力した上記温度情報に基づいてＣＰＵ３０１が算出した目標照射量が、上記段階的な複数の段階照射量と一致しない場合に、段階的に調整可能な複数の段階照射量のうち、上記目標照射量未満で且つ当該目標照射量との差が最小となる初期照射量に、ＵＶ照射装置１２１が発生した紫外線の照射量を調整するモードである。操作者が入力した照射量調整モードが「低い方優先モード」でない場合には（ステップＳ４４５でＮＯ）、後述のステップＳ４５５に移行する。一方、操作者が入力した照射量調整モードが「低い方優先モード」である場合には（ステップＳ４４５でＹＥＳ）、次のステップＳ４５０に移行する。
【０１４２】
ステップＳ４５０では、ＣＰＵ３０１は、操作者が入力した照射量調整モードである「低い方優先モード」をＲＡＭ３０３の上記調整モード記憶エリアに記憶する。
【０１４３】
ステップＳ４５５では、ＣＰＵ３０１は、操作者が入力した照射量調整モードが「指定モード」であるか否かを判定する。「指定モード」は、操作者が入力した上記温度情報に基づいてＣＰＵ３０１が算出した目標照射量が、上記段階的な複数の段階照射量と一致しない場合に、段階的な複数の段階照射量のうちの中央値と、当該中央値から操作者の操作に基づき増減させた段階照射量とを選択可能に表示し、当該選択肢の中から操作者が所望の段階照射量をインクに照射する照射量として選択するモードである。操作者が入力した照射量調整モードが「指定モード」でない場合には（ステップＳ４５５でＮＯ）、後述のステップＳ４６５に移行する。一方、操作者が入力した照射量調整モードが「指定モード」である場合には（ステップＳ４５５でＹＥＳ）、次のステップＳ４６０に移行する。
【０１４４】
ステップＳ４６０では、ＣＰＵ３０１は、操作者が入力した照射量調整モードである「指定モード」をＲＡＭ３０３の上記調整モード記憶エリアに記憶する。
【０１４５】
ステップＳ４６５では、ＣＰＵ３０１は、操作者が入力した照射量調整モードが「一方指定モード」であるか否かを判定する。「一方指定モード」は、操作者が入力した上記温度情報に基づいてＣＰＵ３０１が算出した目標照射量が、上記段階的な複数の段階照射量と一致しない場合に、段階的な複数の段階照射量のうち、目標照射量より大きく且つ当該目標照射量との差が最小である段階照射量と、目標照射量未満で且つ当該目標照射量との差が最小である段階照射量の２つを、ＬＣＤ３２１に選択可能に表示し、その中から操作者が選択した段階照射量をインクに照射する照射量として選択するモードである。操作者が入力した照射量調整モードが「一方指定モード」でない場合には（ステップＳ４６５でＮＯ）、後述のステップＳ４７５に移行する。一方、操作者が入力した照射量調整モードが「一方指定モード」である場合には（ステップＳ４６５でＹＥＳ）、次のステップＳ４７０に移行する。
【０１４６】
ステップＳ４７０では、ＣＰＵ３０１は、操作者が入力した照射量調整モードである「一方指定モード」をＲＡＭ３０３の上記調整モード記憶エリアに記憶する。
【０１４７】
ステップＳ４７５では、ＣＰＵ３０１は、操作者が入力した照射量調整モードが「再指定モード」であるか否かを判定する。「再指定モード」は、操作者が入力した上記温度情報に基づいてＣＰＵ３０１が算出した目標照射量が、上記段階的な複数の段階照射量と一致しない場合に、操作者に対し温度情報の再入力を要求するモードである。操作者が入力した照射量調整モードが「再指定モード」でない場合には（ステップＳ４７５でＮＯ）、本サブルーチンを終了する。一方、操作者が入力した照射量調整モードが「再指定モード」である場合には（ステップＳ４７５でＹＥＳ）、次のステップＳ４８０に移行する。
【０１４８】
ステップＳ４８０では、ＣＰＵ３０１は、操作者が入力した照射量調整モードである「再指定モード」をＲＡＭ３０３の上記調整モード記憶エリアに記憶する。以上により、本サブルーチンを終了する。
【０１４９】
図１３は、上記ステップＳ５００の温度入力による照射量調整％記憶処理の詳細内容を表すフローチャートである。図１３に示すように、ステップＳ５０５では、ＣＰＵ３０１は、前述の図１１に示すステップＳ３１０における入力促進表示に応じて操作者がステップＳ３２０において入力を行った温度情報を、ＲＡＭ３０３の所定の記憶エリア（以下、入力温度記憶エリアと記載する）に記憶する。
【０１５０】
ステップＳ５１０では、ＣＰＵ３０１は、ＲＡＭ３０３の上記入力温度記憶エリアに記憶した温度情報に対応した温度の値が適正値であるか否かを判定する。具体的には、入力温度が現在温度以上で、且つ、限界温度以下であれば、適正値と判定し、それ以外であれば適正値でないと判定する。限界温度は、設定温度が過剰に高い温度とならないように予め設定した値であり、ＲＡＭ３０３が所定の記憶エリアに記憶している。入力温度の値が適正値でない場合には（ステップＳ５１０でＮＯ）、ステップＳ５１５に移行し、ＣＰＵ３０１は、出力インターフェース３０５を介してＬＣＤ３２１に表示信号を出力し、温度情報の再入力を促す入力促進表示を行う。そして次のステップＳ５２０では、ＣＰＵ３０１は、上記入力促進表示に応じて操作者が温度情報の再入力を行ったか否かを判定する。入力がない場合には（ステップＳ５２０でＮＯ）入力があるまで本ステップを繰り返し、入力があった場合には（ステップＳ５２０でＹＥＳ）先のステップＳ５０５に戻る。一方、上記ステップＳ５１０において、入力温度の値が適正値である場合には（ステップＳ５１０でＹＥＳ）、次のステップＳ５２５に移行する。
【０１５１】
ステップＳ５２５では、ＣＰＵ３０１は、出力インターフェース３０５を介してＬＣＤ３２１に表示信号を出力し、上記入力した温度情報の補正の有無の入力を促す補正有無入力促進表示を行う。温度情報の補正は、例えば、被印刷媒体１０４を所望のタイミングで確実に完全硬化させるために、操作者が入力した温度情報に対応した温度から所定の余裕分の温度差を差し引くような場合に行うものである。
【０１５２】
ステップＳ５３０では、ＣＰＵ３０１は、上記入力促進表示に応じて操作者が温度情報の補正の有無の入力を行ったか否かを判定する。入力がない場合には（ステップＳ５３０でＮＯ）、補正を行わないとみなし、後述のステップＳ５４０に移行する。入力があった場合には（ステップＳ５３０でＹＥＳ）、ステップＳ５３５に移行する。
【０１５３】
ステップＳ５３５では、ＣＰＵ３０１は、上記入力温度記憶エリアより温度情報を読み出し、所定の補正条件（上記所定の余裕分の温度差の減算等）に基づいて補正を行い、当該補正後の温度情報を入力温度記憶エリアに記憶する。
【０１５４】
ステップＳ５４０では、ＣＰＵ３０１は、上記入力温度記憶エリアより温度情報を読み出し、当該温度情報をＲＡＭ３０３の所定の記憶エリア（以下、表示温度記憶エリアと記載する）に記憶する。
【０１５５】
ステップＳ５４５では、ＣＰＵ３０１は、内蔵した検温手段（又は装置外部の検温手段でもよい）より現在の温度に対応する温度情報を取得し、当該温度情報をＲＡＭ３０３の所定の記憶エリア（以下、現温度記憶エリアと記載する）に記憶する。
【０１５６】
ステップＳ７００では、ＣＰＵ３０１は、所定の相関テーブル（またはグラフでもよい）に基づき、現温度から加熱により上記ステップＳ５４０において表示温度記憶エリアに記憶した温度情報に対応した温度において所望の硬化状態（ここでは完全硬化状態）を得るために、インクに照射すべき上記目標照射量を演算する照射量調整％演算処理を実行する（詳細内容は後述の図１４参照）。なお、上記相関テーブルは、初期硬化状態から加熱により到達する温度と初期硬化状態から加熱により進行するインクの硬化状態との相関を表すテーブルであり、ＲＡＭ３０３（又は装置外部の記憶手段でもよい）が所定の記憶エリアに記憶している。また初期硬化状態は、印刷ヘッド１０１から吐出されたインクが紫外線の露光を契機に硬化を開始し、操作者の照射量設定に応じて紫外線の露光が行われた結果、インクが到達した「半硬化」状態のことである。
【０１５７】
上記相関テーブルは、同じ種類（組成）のインクにおいても、初期硬化状態が異なれば、その後の加熱によりインクが完全硬化状態となる限界温度が異なる性質によるものである。この相関テーブルによれば、硬化状態と温度には、例えば、初期硬化状態が完全硬化状態の３０％であれば限界温度は７０℃、初期硬化状態が完全硬化状態の４０％であれば限界温度は５０℃といったように、初期硬化状態が高いほど限界温度が低くなり、初期硬化状態が低いほど限界温度が高くなる相関関係がある。
【０１５８】
ステップＳ５６０では、ＣＰＵ３０１は、上記ステップＳ７００での演算結果である照射量を、前述したＲＡＭ３０３の照射量調整％記憶エリアに記憶する。
【０１５９】
ステップＳ５６５では、ＣＰＵ３０１は、出力インターフェース３０５を介してＬＣＤ３２１に表示信号を出力し、上記ＲＡＭ３０３の照射量調整％記憶エリアの値、表示温度記憶エリアの値、現温度記憶エリアの値、補正の有無、補正内容の説明等の表示を行う。
【０１６０】
ステップＳ５７０では、ＣＰＵ３０１は、上記ＲＡＭ３０３の照射量調整％記憶エリアの値（照射量情報）、及び上記表示温度記憶エリアの値（温度情報）を、ＲＡＭ３０３の前述した副印刷情報記憶エリアに記憶する。以上により本サブルーチンを終了する。
【０１６１】
上記において、ステップＳ５４０では、ＣＰＵ３０１は、温度情報を上記表示温度記憶エリアに記憶することにより、温度情報を設定することになる。したがって、ステップＳ５４０は、特許請求の範囲に記載の情報設定手段として機能すると共に、情報設定手順に相当する。また、上記ステップＳ５７０で副印刷情報記憶エリアに記憶した温度情報が、特許請求の範囲に記載の情報設定手段が設定した温度情報に関連した関連温度情報に相当する。
【０１６２】
図１４は、上記ステップＳ７００の照射量調整％演算処理の詳細内容を表すフローチャートである。図１４に示すように、ステップＳ７０５では、ＣＰＵ３０１は、前述の図１２に示す照射量調整モード選択処理において、操作者が入力した照射量調整モードが「電流増減モード」であるか否かを判定する。操作者が入力した照射量調整モードが「電流増減モード」である場合には（ステップＳ７０５でＹＥＳ）、次のステップＳ８００に移行し、ＣＰＵ３０１は、ＵＶ照射装置１２１のＵＶ−ＬＥＤ１２１ａに供給する電流を変化させて照射量を調整する電流増減モード処理を実行する（詳細内容は後述の図１５参照）。一方、操作者が入力した照射量調整モードが「点灯個数増減モード」である場合には（ステップＳ７０５でＮＯ）、次のステップＳ９００に移行し、ＣＰＵ３０１は、ＵＶ−ＬＥＤ１２１ａの点灯個数を増減して照射量を調整する点灯個数増減モード処理を実行する（詳細内容は後述の図１６参照）。以上により、本サブルーチンを終了する。
【０１６３】
上述したステップＳ７００の照射量調整％演算処理においては、ＣＰＵ３０１は、上記ステップＳ５７０で記憶した温度情報に対応した時期に達したことによって、紫外線の露光量に応じた初期硬化状態から温度情報に対応した温度における所望の硬化状態に進行するインクの外表面を得るための初期照射量の紫外線の照射を、載置テーブル１０５が載置した被印刷媒体１０４に付着したインクに対して行うように、ＵＶ照射装置１２１が発生した紫外線の照射量を調整することになる。したがって、このステップＳ７００は、特許請求の範囲に記載の照射調整手段として機能すると共に、照射調整手順に相当する。
【０１６４】
図１５は、上記ステップＳ８００の電流増減モード処理の詳細内容を表すフローチャートである。図１５に示すように、ステップＳ８０５では、操作者が入力した温度情報に対応した温度（詳細には、前述のステップＳ５４０において表示温度記憶エリアに記憶した温度情報に対応した温度）において所望の硬化状態（ここでは完全硬化状態）を得るための上記目標照射量を前述した相関テーブルに基づき算出し、当該目標照射量となるようなＵＶ照射装置１２１のＵＶ−ＬＥＤ１２１ａに供給する電流値である電流調整％を演算する。この電流調整％の値は、上述した完全硬化照射量（インクが「完全硬化」の状態となるときの照射量の最小値）となるような電流値を１００％とした場合の値である。
【０１６５】
ステップＳ８１０では、ＣＰＵ３０１は、上記演算した電流調整％の値が下限％よりも大きいか否かを判定する。下限％は、電流値が過小な値とならないように予めＵＶ照射装置１２１の仕様等に基づき設定した値であり、ＲＡＭ３０３が所定の記憶エリアに記憶している。電流調整％の値が下限％以下である場合には（ステップＳ８１０でＮＯ）、ステップＳ８１５に移行し、ＣＰＵ３０１は、出力インターフェース３０５を介してＬＣＤ３２１に表示信号を出力し、電流値が小さすぎる旨を表す下限％違反表示を行う。そして、次のステップＳ８２０では、ＣＰＵ３０１は、操作者に対し温度情報の再入力を促す再入力催促表示をＬＣＤ３２１に行う。
【０１６６】
一方、上記ステップＳ８１０において、電流調整％の値が下限％より大きい場合には（ステップＳ８１０でＹＥＳ）、ステップＳ８２５に移行する。ステップＳ８２５では、ＣＰＵ３０１は、上記演算した電流調整％の値が上限％よりも小さいか否かを判定する。上限％は、電流値が過大な値とならないように予めＵＶ照射装置１２１の仕様等に基づき設定した値であり、ＲＡＭ３０３が所定の記憶エリアに記憶している。電流調整％の値が上限％以上である場合には（ステップＳ８２５でＮＯ）、ステップＳ８３０に移行し、ＣＰＵ３０１は、出力インターフェース３０５を介してＬＣＤ３２１に表示信号を出力し、電流値が大きすぎる旨を表す上限％違反表示を行う。そして、次のステップＳ８３５では、ＣＰＵ３０１は、操作者に対し温度情報の再入力を促す再入力催促表示をＬＣＤ３２１に行う。
【０１６７】
一方、上記ステップＳ８２５において、電流調整％の値が上限％より小さい場合には（ステップＳ８２５でＹＥＳ）、ステップＳ８４０に移行する。ステップＳ８４０では、ＣＰＵ３０１は、上記ステップＳ８０５で演算した電流調整％の値を、ＲＡＭ３０３の上記照射量調整％記憶エリアに記憶する。以上により、本サブルーチンを終了する。
【０１６８】
図１６及び図１７は、上記ステップＳ９００の点灯個数増減モード処理の詳細内容を表すフローチャートである。図１６に示すように、ステップＳ９０２では、ＣＰＵ３０１は、操作者が入力した温度情報に対応した温度（詳細には、前述のステップＳ５４０において表示温度記憶エリアに記憶した温度情報に対応した温度）において所望の硬化状態（ここでは完全硬化状態）を得るための上記目標照射量を前述した相関テーブルに基づき算出し、当該目標照射量となるようなＵＶ照射装置１２１のＵＶ−ＬＥＤ１２１ａの点灯個数を演算する。なお、ここでは点灯個数を目標照射量に比例して演算するため、点灯個数は整数になるとは限らない。また、点灯個数は、ＵＶ−ＬＥＤ１２１ａに供給する電流調整％を一定の値（例えば１００％）に固定した状態における点灯個数である。
【０１６９】
ステップＳ９０４では、ＣＰＵ３０１は、操作者が入力した上記温度情報に基づいてＣＰＵ３０１が算出した目標照射量が、ＵＶ−ＬＥＤ１２１ａの個数に応じた段階的な複数の段階照射量のいずれかと一致するか否かを判定する。言い換えれば、ＣＰＵ３０１は、上記ステップＳ９０２で演算した点灯個数が整数となるか否かを判定する。目標照射量が、段階的な複数の段階照射量と一致する場合には（ステップＳ９０４でＹＥＳ）、ステップＳ９０６に移行する。なお、本判定において、ＣＰＵ３０１は、目標照射量と段階照射量が完全に一致するか否かを判定するのではなく、目標照射量が段階照射量との関係で所定のしきい値の範囲内にあるか否かを判定し、当該範囲内にあれば一致すると判定し、当該範囲外であれば一致しないものと判定する。
【０１７０】
ステップＳ９０６では、ＣＰＵ３０１は、上記演算した点灯個数の値が下限個数よりも大きいか否かを判定する。下限個数は、点灯個数が過小な値とならないように予めＵＶ照射装置１２１の仕様等に基づき設定した値であり、ＲＡＭ３０３が所定の記憶エリアに記憶している。例えば、ＵＶ−ＬＥＤ１２１ａの個数が２０個である場合、下限個数はその１０％相当の２個となる。点灯個数の値が下限個数以下である場合には（ステップＳ９０６でＮＯ）、ステップＳ９０８に移行し、ＣＰＵ３０１は、出力インターフェース３０５を介してＬＣＤ３２１に表示信号を出力し、点灯個数が少なすぎる旨を表す下限個数違反表示を行う。その後、後述するステップＳ９８２に移行する。一方、上記ステップＳ９０６において、点灯個数の値が下限個数より大きい場合には（ステップＳ９０６でＹＥＳ）、次のステップＳ９１０に移行する。
【０１７１】
ステップＳ９１０では、ＣＰＵ３０１は、上記演算した点灯個数の値が上限個数よりも小さいか否かを判定する。上限個数は、点灯個数が過大な値とならないように予めＵＶ照射装置１２１の仕様等に基づき設定した値であり、ＲＡＭ３０３が所定の記憶エリアに記憶している。例えば、ＵＶ−ＬＥＤ１２１ａの個数が２０個である場合、上限個数はその９５％相当の１９個となる。点灯個数の値が上限個数以上である場合には（ステップＳ９１０でＮＯ）、ステップＳ９１２に移行し、ＣＰＵ３０１は、出力インターフェース３０５を介してＬＣＤ３２１に表示信号を出力し、点灯個数が多すぎる旨を表す上限個数違反表示を行う。その後、後述するステップＳ９８２に移行する。一方、上記ステップＳ９１０において、点灯個数の値が上限個数より小さい場合には（ステップＳ９１０でＹＥＳ）、次のステップＳ９１４に移行する。
【０１７２】
ステップＳ９１４では、ＣＰＵ３０１は、上記ステップＳ９０２で演算した点灯個数の値をＲＡＭ３０３の上記照射量調整％記憶エリアに記憶する。この際、点灯個数を照射量に換算して記憶する。例えば、ＵＶ−ＬＥＤ１２１ａの個数が２０個である場合に、演算した点灯個数が５個であれば２５％、１０個であれば５０％、１５個であれば７５％として記憶する（以下同様）。そして、後述のステップＳ９８４に移行する。
【０１７３】
一方、先のステップＳ９０４において、目標照射量がＵＶ−ＬＥＤ１２１ａの個数に応じた段階的な複数の段階照射量のいずれかと一致しない場合には（ステップＳ９０４でＮＯ）、次のステップＳ９１６に移行する。ステップＳ９１６では、ＣＰＵ３０１は、前述の図１２に示す照射量調整モード選択処理において、操作者が入力した照射量調整モードが「近似優先モード」であるか否かを判定する。「近似優先モード」でない場合には（ステップＳ９１６でＮＯ）、後述のステップＳ９２２に移行する。一方、「近似優先モード」である場合には（ステップＳ９１６でＹＥＳ）、次のステップＳ９１８に移行する。
【０１７４】
ステップＳ９１８では、ＣＰＵ３０１は、上記段階的な複数の段階照射量のうち、目標照射量との差が最小の段階照射量を、温度情報に対応した温度に関係した初期照射量として優先的に選択し、当該段階照射量に対応する個数を点灯個数に決定する。
【０１７５】
ステップＳ９２０では、ＣＰＵ３０１は、上記決定した点灯個数をＲＡＭ３０３の上記照射量調整％記憶エリアに記憶する。
【０１７６】
ステップＳ９２２では、ＣＰＵ３０１は、前述の図１２に示す照射量調整モード選択処理において、操作者が入力した照射量調整モードが「高い方優先モード」であるか否かを判定する。「高い方優先モード」でない場合には（ステップＳ９２２でＮＯ）、後述のステップＳ９２８に移行する。一方、「高い方優先モード」である場合には（ステップＳ９２２でＹＥＳ）、次のステップＳ９２４に移行する。
【０１７７】
ステップＳ９２４では、ＣＰＵ３０１は、上記段階的な複数の段階照射量のうち、目標照射量より大きく且つ当該目標照射量との差が最小である段階照射量を、温度情報に対応した温度に関係した初期照射量として優先的に選択し、当該段階照射量に対応する個数を点灯個数に決定する。
【０１７８】
ステップＳ９２６では、ＣＰＵ３０１は、上記決定した点灯個数をＲＡＭ３０３の上記照射量調整％記憶エリアに記憶する。
【０１７９】
ステップＳ９２８では、ＣＰＵ３０１は、前述の図１２に示す照射量調整モード選択処理において、操作者が入力した照射量調整モードが「低い方優先モード」であるか否かを判定する。「低い方優先モード」でない場合には（ステップＳ９２８でＮＯ）、後述のステップＳ９３４に移行する。一方、「低い方優先モード」である場合には（ステップＳ９２８でＹＥＳ）、次のステップＳ９３０に移行する。
【０１８０】
ステップＳ９３０では、ＣＰＵ３０１は、上記段階的な複数の段階照射量のうち、目標照射量未満で且つ当該目標照射量との差が最小である段階照射量を、温度情報に対応した温度に関係した初期照射量として優先的に選択し、当該段階照射量に対応する個数を点灯個数に決定する。
【０１８１】
ステップＳ９３２では、ＣＰＵ３０１は、上記決定した点灯個数をＲＡＭ３０３の上記照射量調整％記憶エリアに記憶する。
【０１８２】
図１７に移り、ステップＳ９３４では、ＣＰＵ３０１は、前述の図１２に示す照射量調整モード選択処理において、操作者が入力した照射量調整モードが「指定モード」であるか否かを判定する。「指定モード」でない場合には（ステップＳ９３４でＮＯ）、後述のステップＳ９６８に移行する。一方、「指定モード」である場合には（ステップＳ９３４でＹＥＳ）、次のステップＳ９３６に移行する。
【０１８３】
ステップＳ９３６では、ＣＰＵ３０１は、ＵＶ−ＬＥＤ１２１ａの中央個数に対応する温度情報を前述の相関テーブルに基づいて逆算（特定）する。中央個数とは、ＵＶ照射装置１２１が有するＵＶ−ＬＥＤ１２１ａの数の中央値であり、例えばＵＶ−ＬＥＤ１２１ａの個数が１９個である場合には１０となる。なお、ＵＶ−ＬＥＤ１２１ａの個数が偶数個（例えば２０個）である場合には、２つの中央値（２０個である場合には１０と１１）のうちのいずれかを中央個数とする。この場合、いずれを選択するかを予め設定しておいてもよい。
【０１８４】
ステップＳ９３８では、ＣＰＵ３０１は、出力インターフェース３０５を介してＬＣＤ３２１に表示信号を出力し、上記演算した中央個数に対応する温度情報に関連した温度をＬＣＤ３２１に選択可能に表示する。
【０１８５】
ステップＳ９４０では、ＣＰＵ３０１は、上記ＬＣＤ３２１に表示した中央個数に対応する温度情報に応じて、操作者がＰＣ３２０の前述した操作手段を介して点灯個数が増加するように（言い換えれば温度を低くするように）操作入力を行ったか否かを判定する。操作者が点灯個数が減少するように（言い換えれば温度を高くするように）操作入力を行った場合には（ステップＳ９４０でＮＯ）、後述のステップＳ９５２に移行する。一方、操作者が点灯個数が増加するように（言い換えれば温度を低くするように）操作入力を行った場合には（ステップＳ９４０でＹＥＳ）、次のステップＳ９４２に移行する。
【０１８６】
ステップＳ９４２では、ＣＰＵ３０１は、操作者が増加させた上記点灯個数の値が前述した上限個数よりも小さいか否かを判定する。点灯個数の値が上限個数より小さい場合には（ステップＳ９４２でＹＥＳ）、次のステップＳ９４４に移行し、ＣＰＵ３０１は、操作者が増加させた点灯個数に対応する温度情報を前述の相関テーブルに基づいて逆算し、ステップＳ９４６において、当該演算した温度情報に関連した温度をＬＣＤ３２１に選択可能に表示する。
【０１８７】
一方、上記ステップＳ９４２において、操作者が増加させた上記点灯個数の値が上限個数以上である場合には（ステップＳ９４２でＮＯ）、ステップＳ９４８に移行し、ＣＰＵ３０１は、出力インターフェース３０５を介してＬＣＤ３２１に表示信号を出力し、点灯個数が多すぎる旨を表す前述の上限個数違反表示を行う。その後、ステップＳ９５０では、ＣＰＵ３０１は、上記ステップＳ９４０において操作者が増加させた分の個数を点灯個数より減算し、点灯個数を増加前の元の値に戻す。
【０１８８】
ステップＳ９５２では、ＣＰＵ３０１は、上記ステップＳ９３８でＬＣＤ３２１に表示した中央個数に対応する温度情報に応じて、操作者がＰＣ３２０の前述した操作手段を介して点灯個数が減少するように（言い換えれば温度を高くするように）操作入力を行ったか否かを判定する。操作者が点灯個数が増加するように（言い換えれば温度を低くするように）操作入力を行った場合には（ステップＳ９５２でＮＯ）、後述のステップＳ９６４に移行する。一方、操作者が点灯個数が減少するように（言い換えれば温度を高くするように）操作入力を行った場合には（ステップＳ９５２でＹＥＳ）、次のステップＳ９５４に移行する。
【０１８９】
ステップＳ９５４では、ＣＰＵ３０１は、操作者が減少させた上記点灯個数の値が前述した下限個数よりも大きいか否かを判定する。点灯個数の値が下限個数より大きい場合には（ステップＳ９５４でＹＥＳ）、次のステップＳ９５６に移行し、ＣＰＵ３０１は、操作者が減少させた点灯個数に対応する温度情報を前述の相関テーブルに基づいて逆算し、ステップＳ９５８において、当該演算した温度情報に関連した温度をＬＣＤ３２１に選択可能に表示する。
【０１９０】
一方、上記ステップＳ９５４において、操作者が減少させた上記点灯個数の値が下限個数以下である場合には（ステップＳ９５４でＮＯ）、ステップＳ９６０に移行し、ＣＰＵ３０１は、出力インターフェース３０５を介してＬＣＤ３２１に表示信号を出力し、点灯個数が少なすぎる旨を表す前述した下限個数違反表示を行う。その後、ステップＳ９６２では、ＣＰＵ３０１は、上記ステップＳ９５２において操作者が減少させた分の個数を点灯個数に加算し、点灯個数を減少前の元の値に戻す。
【０１９１】
ステップＳ９６４では、上記ステップＳ９３８、ステップＳ９４６及びステップＳ９５８でＬＣＤ３２１に表示した温度の選択肢の中の１つを操作者が選択したか否かを判定する。操作者が１つの温度を選択していない場合には（ステップＳ９６４でＮＯ）、先のステップＳ９４０に戻る。一方、操作者が１つの温度を選択した場合には（ステップＳ９６４でＹＥＳ）、次のステップＳ９６６に移行する。
【０１９２】
ステップＳ９６６では、ＣＰＵ３０１は、上記操作者が選択した温度に対応する点灯個数をＲＡＭ３０３の上記照射量調整％記憶エリアに記憶する。
【０１９３】
ステップＳ９６８では、ＣＰＵ３０１は、前述の図１２に示す照射量調整モード選択処理において、操作者が入力した照射量調整モードが「一方指定モード」であるか否かを判定する。「一方指定モード」でない場合には（ステップＳ９６８でＮＯ）、後述のステップＳ９８０に移行する。一方、「一方指定モード」である場合には（ステップＳ９６８でＹＥＳ）、次のステップＳ９７０に移行する。
【０１９４】
ステップＳ９７０では、ＣＰＵ３０１は、上記段階的な複数の段階照射量のうち、目標照射量より大きく且つ当該目標照射量との差が最小である段階照射量に対応する点灯個数、すなわち上記ステップＳ９０２で演算した点灯個数より高い方の個数（整数）について、対応する温度情報を前述の相関テーブルに基づいて逆算する。
【０１９５】
ステップＳ９７２では、ＣＰＵ３０１は、上記段階的な複数の段階照射量のうち、目標照射量未満で且つ当該目標照射量との差が最小である段階照射量に対応する点灯個数、すなわち上記ステップＳ９０２で演算した点灯個数より高い方の個数（整数）について、対応する温度情報を前述の相関テーブルに基づいて逆算する。
【０１９６】
ステップＳ９７４では、ＣＰＵ３０１は、上記ステップＳ９７０及びステップＳ９７２において演算した２つの温度情報に関連した温度をＬＣＤ３２１に選択可能に表示する。
【０１９７】
ステップＳ９７６では、上記表示した２つの温度の選択肢の中の１つを操作者が選択したか否かを判定する。操作者が１つの温度を選択していない場合には（ステップＳ９７６でＮＯ）、操作者が選択するまで本判定を繰り返す。一方、操作者が１つの温度を選択した場合には（ステップＳ９７６でＹＥＳ）、次のステップＳ９７８に移行する。
【０１９８】
ステップＳ９７８では、ＣＰＵ３０１は、上記操作者が選択した温度に対応する点灯個数をＲＡＭ３０３の上記照射量調整％記憶エリアに記憶する。
【０１９９】
ステップＳ９８０では、ＣＰＵ３０１は、前述の図１２に示す照射量調整モード選択処理において、操作者が入力した照射量調整モードが「再指定モード」であるか否かを判定する。「再指定モード」である場合には（ステップＳ９８０でＹＥＳ）、次のステップＳ９８２に移行する。
【０２００】
ステップＳ９８２では、ＣＰＵ３０１は、出力インターフェース３０５を介してＬＣＤ３２１に表示信号を出力し、操作者に対し温度情報の再入力を要求する再入力催促表示を行う。その後、本サブルーチンを終了する。
【０２０１】
一方、上記ステップＳ９８０において、「再指定モード」でない場合には（ステップＳ９８０でＮＯ）、ステップＳ９８４に移行する。ステップＳ９８４では、ＣＰＵ３０１は、ＲＡＭ３０３が上記照射量調整％記憶エリアに記憶した照射量を読み出し、当該照射量に対応する温度情報を前述の相関テーブルに基づいて逆算する。
【０２０２】
ステップＳ９８６では、ＣＰＵ３０１は、出力インターフェース３０５を介してＬＣＤ３２１に表示信号を出力し、上記演算した温度情報に関連した温度をＬＣＤ３２１に表示する。以上により、本サブルーチンを終了する。
【０２０３】
次に、インクジェット記録装置１００により作成した印刷物について説明する。図１８は、操作者が前述の図１０に示す印刷モード「４４」〜「４９」のいずれかを選択した場合において、インクジェット記録装置１００により作成した転写ラベルＬの外観の一例を表す、印刷層側から見た平面図である。この例では、操作者が温度情報を入力することによりＵＶ照射装置１２１の照射量の設定を行っており、転写ラベルＬは、ＰＰ（ポリプロピレン）からなる被印刷媒体１０４上に、初期印刷層、中期印刷層、後期印刷層、基材、及び仕上げ印刷層を含む画像データに係る印刷層Ｐ１と、温度情報及び照射量に係る印刷層Ｐ２とを形成している。転写ラベルであるため、印刷層Ｐ１及びＰ２は鏡像印刷となっている。
【０２０４】
すなわち、操作者が入力した温度情報に基づき、ＣＰＵ３０１が前述の図１３に示すステップＳ５００の温度入力による照射量調整％記憶処理を行い、当該処理中のステップＳ７００における照射量調整％演算処理においてＵＶ照射装置１２１の照射量の設定を行う。そして、ＣＰＵ３０１は、ステップＳ５７０において、ＲＡＭ３０３の照射量調整％記憶エリアの値（照射量情報）、及び、表示温度記憶エリアの値（温度情報）を、ＲＡＭ３０３の副印刷情報記憶エリアに記憶する。その結果、ＣＰＵ３０１は、前述のステップＳ２００の印刷処理において、主印刷情報記憶エリアから画像データを読み込み、当該画像データの印刷を行うと共に、ステップＳ２００Ａの副印刷処理において、副印刷情報記憶エリアから上記照射量情報及び関連温度情報を読み込み、これらの情報の印刷を行う。
【０２０５】
図１８に示す例では、貼り付け対象である刺身（図１９参照）に関連した説明の文字とその背景（図中の斜線部分）に対応する画像データが所定部分（この例ではラベル中央部分）に形成されており、被印刷媒体１０４上における上記所定部分とは異なる部分（この例では下方部分）に上記照射量及び温度情報を配置している。温度情報は、この例では「３０℃」となっており、転写ラベルＬの作成後周囲温度が３０℃に達すると印刷層Ｐ１のインクが完全硬化することを表している。周囲温度が３０℃に達しない場合には、印刷層Ｐ１のインクが完全硬化せず、周囲温度に応じて硬化度が進行した状態（半硬化状態）となる。すなわち、周囲温度が３０℃に達しない場合には、操作者は転写された印刷層Ｐ１の基材を把持し、転写先の対象物から印刷層Ｐ１を容易に剥がすことが可能であるが、周囲温度が３０℃に達した場合には、印刷層Ｐ１を剥がそうとしても負荷が生じ、容易には剥がせなくなる。また操作者は、印刷層Ｐ１を剥がすときの負荷に応じて周囲温度がどの程度に達したかを判断することも可能である。
【０２０６】
図１９は、図１８に示す転写ラベルＬを用いて転写した対象物の一例を表す図である。図１９に示すように、対象物は刺身を内包した刺身パック２０１であり、当該刺身パック２０１のラップ表面部分に印刷層Ｐ１を転写している。なお、前述したように、印刷層Ｐ２については転写ラベルＬの作成時点において完全硬化しているため、転写しない。これにより、温度情報等の温度管理に関わる不要な部分については転写せず、画像データに関わる必要な部分のみを転写させることができる。また、転写先の対象物における見栄えを向上できる効果もある。なおこの例では、刺身パック２０１は３０℃より低い温度で温度管理されるべきものであり、転写ラベルＬの印刷層Ｐ１は３０℃に達した時点で完全硬化する。操作者は印刷層Ｐ１を剥がす際の負荷により刺身パック２０１が３０℃以上の周囲温度に曝されたか否かを判断することができる。
【０２０７】
なお、転写ラベルではなく前述した印刷ラベルを作成し、当該印刷ラベル自体を対象物に貼り付けて使用してもよい。また、上記転写ラベルＬにおいて、インクジェット記録装置１００により被印刷媒体１０４上に形成した印刷層Ｐ１及びＰ２が、特許請求の範囲に記載の記録物に相当する。
【０２０８】
以上説明した実施形態のインクジェット記録装置１００では、印刷ヘッド１０１が吐出するインクは、紫外線の露光を契機に硬化を開始し、紫外線の露光量に応じた初期硬化状態に到達する。初期硬化状態に到達した後に紫外線の露光を停止しても、インクはその後の加熱によってさらに硬化を進行する。インクが初期硬化状態の後に加熱により増加する硬化度は、加熱時に到達する温度、すなわち周囲温度、温度上昇幅、加熱時間、加熱方法等（以下、「周囲温度等」と略して記載する）の少なくとも１つに対応する。紫外線照射により初期硬化状態に達した後、上記周囲温度等に応じて硬化度が増大し、所望の硬化状態に達する。所望の硬化状態が決まっている場合には、当該周囲温度等と、初期硬化状態に到達するまでにインクに照射する紫外線の照射量と対応関係がある。
【０２０９】
ここで本実施形態においては、操作者が温度入力によりＵＶ照射装置１２１の照射量の設定処理を行った場合には、当該温度情報を、ＲＡＭ３０３の表示温度記憶エリアに記憶する（情報設定手段としての機能）。そして、ＵＶ照射装置１２１が発生した紫外線の照射量の調整を行い、インクを上記初期硬化状態に到達させ、表示温度記憶エリアに記憶した温度情報に対応する温度において、そのインクを所望の硬化状態にする。印刷ヘッド１０１は、ＣＰＵ３０１の制御に基づき、上記記憶した温度情報に関連した関連温度情報を、被印刷媒体１０４の所定部分とは異なる部分に印刷することができる。関連温度情報を示すインクは、上記記憶した温度情報に対応した温度に達し、加熱されたことを原因として、紫外線の露光量に応じた初期硬化状態から当該温度情報に対応する温度における所望の硬化状態に進行するインクの外表面を得るための初期照射量の紫外線を露光される。
【０２１０】
本実施形態によれば、操作者は、被印刷媒体１０４のインクが所望の硬化状態となる温度の目安を、画像データを印刷した所定部分とは別の部分の温度情報に関連した関連温度情報により、視覚的にわかりやすく認識することができる。
【０２１１】
また、本実施形態では特に、ＣＰＵ３０１は、温度情報に関連した関連温度情報に加えて、ＵＶ照射装置１２１の照射量を画像データとは異なる部分に印刷するように、印刷ヘッド１０１によるインクの吐出を制御する。これにより、操作者は、インクが所望の硬化状態となる温度に関連した関連温度情報に加え、当該硬化挙動を実現するため初期硬化状態までに照射する照射量も、確実に視覚的に認識することができる。
【０２１２】
また、本実施形態では特に、操作者が照射量調整モードとして「点灯個数増減モード」を選択し、ＣＰＵ３０１がステップＳ９００において複数の段階照射量を段階的に増減して調整を行う場合において、「近似優先モード」が選択されている場合には、複数の段階照射量のうち目標照射量との差が最小の照射量を、上記表示温度記憶エリアに記憶した温度情報に対応した温度に関係した初期照射量とする。これにより、段階的な段階照射量を用いつつ、表示温度記憶エリアに記憶した温度情報に対応した温度においてインクの所望の硬化状態に最も近い硬化状態を確実に実現することができる。
【０２１３】
また、本実施形態では特に、操作者が照射量調整モードとして「点灯個数増減モード」を選択し、ＣＰＵ３０１がステップＳ９００において複数の段階照射量を段階的に増減して調整を行う場合において、「低い方優先モード」が選択されている場合には、複数の段階照射量のうち目標照射量との差が最小となり、かつ、目標照射量より小さい段階照射量を、上記表示温度記憶エリアに記憶した温度情報に対応した温度に関係した初期照射量とする。これにより、段階的な段階照射量を用いつつ、表示温度記憶エリアに記憶した温度情報に対応した温度においてインクの所望の硬化状態に最も近い硬化状態を確実に実現する。また省エネルギを図ることができる。
【０２１４】
また、本実施形態では特に、操作者が照射量調整モードとして「点灯個数増減モード」を選択し、ＣＰＵ３０１がステップＳ９００において複数の段階照射量を段階的に増減して調整を行う場合において、「高い方優先モード」が選択されている場合には、複数の段階照射量のうち目標照射量との差が最小となり、かつ、目標照射量より大きい段階照射量を、上記表示温度記憶エリアに記憶した温度情報に対応した温度に関係した初期照射量とする。これにより、段階的な段階照射量を用いつつ、表示温度記憶エリアに記憶した温度情報に対応した温度においてインクの所望の硬化状態に最も近い硬化状態を確実に実現する。また半硬化状態を短くすることができる。
【０２１５】
また、本実施形態では特に、ＵＶ照射装置１２１が複数のＵＶ−ＬＥＤ１２１ａを備えており、操作者が照射量調整モードとして「点灯個数増減モード」を選択した場合には、点灯させるＵＶ−ＬＥＤ１２１ａの数を増減させることで複数の段階照射量を実現する。このように、ＵＶ照射装置１２１が点灯させるＵＶ−ＬＥＤ１２１ａの数を増減させて段階的に照射量を調整することにより、表示温度記憶エリアに記憶した温度情報に対応した温度において所望の硬化状態に近い硬化状態を実現することができる。
【０２１６】
また、本実施形態では特に、操作者が照射量調整モードとして「電流増減モード」を選択した場合には、ＣＰＵ３０１がＵＶ照射装置１２１の複数個のＵＶ−ＬＥＤ１２１ａへ供給する電流を変化させることで複数の段階照射量を実現する。このように、ＣＰＵ３０１がＵＶ照射装置１２１のＵＶ−ＬＥＤ１２１ａへ供給する電流を変化させて段階的に照射量を調整することにより、表示温度記憶エリアに記憶した温度情報に対応した温度において所望の硬化状態に近い硬化状態を実現することができる。
【０２１７】
また、本実施形態では特に、ＣＰＵ３０１は、表示温度記憶エリアに記憶した温度情報に対応した温度に達したことによる所望の硬化状態として、インクに対し、ＪＩＳ  Ｚ３２８４に準拠したタッキング試験機による評価においてインクの引張荷重が０となるための最小値以上に紫外線がインクにより多く照射される初期照射量に、ＵＶ照射装置１２１が発生した紫外線の照射量を調整する。これにより、操作者は、インクが完全硬化状態となる温度の目安を、視覚的に確実に認識することができる。
【０２１８】
また、本実施形態では特に、表示温度記憶エリアに記憶した温度情報に対応した照射量が完全硬化照射量の５％〜９５％の範囲となる場合には、ＣＰＵ３０１は、前述のステップＳ５４０において、ＵＶ照射装置１２１が発生した紫外線の照射量を実現する温度情報を記憶し、当該温度情報に関連した関連温度情報を印刷する。これにより、操作者は、インクが半硬化状態となる温度を、視覚的に確実に認識することができる。また、インクの初期硬化状態を、確実に半硬化状態に設定することができる。
【０２１９】
また、本実施形態では特に、濡れ張力が３６以下である被印刷媒体１０４にインクを吐出する。すなわち、初期硬化状態となった被印刷媒体１０４上のインクは粘着性を備えており、他の物体に粘着しやすい。被印刷媒体１０４の所定の部分に画像データを形成するとともに、他の物体に粘着させることで、他の物体に粘着可能な転写ラベルＬを構成することができる。この結果、インクジェット記録装置１００内に載置できない対象にも、インクジェット記録装置１００による画像等を設けることができる。
【０２２０】
特に本実施形態においては、被印刷媒体１０４上にインクを吐出して積層することにより、転写時においてインクを容易に被印刷媒体１０４から剥離させ、画像データを確実に他の物体に転写することができる。操作者は、転写ラベルＬを生成後、被印刷媒体１０４の所定部分の画像データのインクが所望の硬化状態となる温度の目安を、被印刷媒体１０４の当該画像データ部分以外に印刷した温度情報に関連した関連温度情報により、視覚的に確実に認識することができる。上記実施形態のように、所望の硬化状態をインクの粘着性がなくなる完全硬化状態とした場合には、所定部分の画像データを転写可能な上限温度の目安を、所定部分以外の部分に表示することとなる。操作者は、温度が何度（何℃）くらいまでは転写可能であるかの目安を視覚的に明確に認識できるので、利便性が高い。
【０２２１】
また、本実施形態では特に、ポリプロピレンからなる被印刷媒体１０４にインクを吐出する。これにより、転写時においてインクをさらに確実に被印刷媒体１０４から剥離させることができ、また画像をくっきりと定着させて視認性を向上することができる。
【０２２２】
なお、本発明は、上記実施形態に限るものではなく、その趣旨及び技術的思想を逸脱しない範囲内で種々の変形が可能である。以下、そのような変形例を順を追って説明する。
【０２２３】
上記実施形態では、操作者が入力した温度情報に対応する温度（詳細には、温度情報としての表示温度記憶エリアの値）を被印刷媒体１０４の画像データ部分以外の部分に印刷するようにしたが、これに限らず、ＣＰＵ３０１が前述のステップＳ９８４において前述の相関テーブルに基づいて逆算した照射量に対応する温度情報に関連した関連温度情報を被印刷媒体１０４の画像データ部分以外の部分に印刷してもよい。このように、所望の硬化状態に到達する温度情報を特定して、当該温度情報に関連した関連温度情報を被印刷媒体１０４の画像データ部分以外の部分に印刷することにより、操作者は、所望の硬化状態が実際におおよそ何度（何℃）程度になると実現するのかを、視覚的に確実に認識することができる。
【０２２４】
また上記実施形態では、被印刷媒体１０４の画像データ部分に温度情報等を含まないようにしたが、含むようにしてもよい。この場合、転写作業後においても、転写した画像データを見て、操作者は所望の硬化状態が実際におおよそいつごろ実現するのかを視覚的に確実に認識することができる。
【０２２５】
また上記実施形態では、情報設定手段で設定した温度情報としての、ＲＡＭ３０３の表示温度記憶エリアに記憶した温度情報を用いて、当該温度情報に対応した温度において所望の硬化状態を得るための目標照射量を算出し、また当該温度情報に関連した関連温度情報を被印刷媒体１０４の所定部分とは異なる部分に印刷するようにしたので、照射量算出に用いる「温度情報」と、印刷される「温度情報に関連した関連温度情報」とは、それらで特定される温度が一致する。しかし、これらは、特定される温度が必ずしも一致しなくてもよい。
【０２２６】
例えば、インクジェット記録装置１００で転写ラベルや賞味期限ラベルを作製する場合に、操作者が入力した（あるいは画像データに含まれた）温度情報は３０℃であるが、照射量算出に用いる「温度情報」は３５℃とし（例えば剥離作業の遅れを予見して５℃加算）、さらに印刷の一部とする「温度情報に関連した関連温度情報」は２５℃（例えば温度管理を低めに行わせるために５℃減算）というように、各々が１つの温度情報に対応（関連）して定められている場合には、それらで特定される温度が一致しなくともよい。なお、上記のような補正は、「温度情報」及び「温度情報に関連した関連温度情報」のいずれか一方のみ行うようにしてもよい。
【０２２７】
なお、上記特定される温度が一致とは、表記上の観点（例えば数字であるか、バーコード表示であるか、摂氏であるか、華氏であるか等）ではなく、それぞれによって特定される温度を定量化する単位を同種とした場合にそれらによって得られる数値が一致することを意味するものである。
【０２２８】
また以上では特に記載しなかったが、上記実施形態における被印刷媒体１０４は、被印刷媒体１０４へインクの転写を行うためにインクに対して剥離性を有しインクジェット記録装置１００内で循環する中間体も含むものである。また、載置テーブル１０５自体がインクに対して剥離性を有している場合には、載置テーブル１０５を被印刷媒体１０４とし、印刷結果であるインクを載置テーブル１０５の表面から剥がして別の物品に転写してもよい。
【０２２９】
また上記実施形態では、ＵＶ照射装置１２１の電流値あるいは点灯個数を制御することにより照射量を変更するようにしたが、これに限らず、ＵＶ照射装置１２１が発生する紫外線の照射量については一定としつつ、当該紫外線を何らかの手段で遮蔽して残りの紫外線を通過させることにより、インクに到達する照射量を調整するようにしてもよい。
【０２３０】
また上記実施形態では、インクジェット記録装置１００が紫外線の照射量を設定する機能を有する場合について説明したが、当該機能をインクジェット記録装置１００ではなく、インクジェット記録装置１００の画像データを作成するＰＣ３２０やその他の外部装置に設け、温度等から決定した照射量情報を、例えば画像データの一部として外部より入力し、当該入力した画像データと温度等及び照射量をインクジェット記録装置１００において印刷する構成としてもよい。
【０２３１】
また上記実施形態では、印刷ヘッド１０１等の印刷機構及び紫外線発生源としてのＵＶ照射装置１２１を有するインクジェット記録装置１００が紫外線の照射量を設定する機能を有する場合について説明したが、例えば印刷機構を有さずに紫外線発生源を有する紫外線照射装置が照射量を設定する機能を有する構成としてもよい。あるいは、例えば紫外線発生源を有さずに印刷機構を有する記録装置が照射量を設定する機能を有する構成としてもよい。
【０２３２】
また上記実施形態では、予め決められた段階的な複数の段階照射量を、ＵＶ照射装置１２１のＵＶ−ＬＥＤ１２１ａの点灯個数を増減させることで実現したが、これに限らず、例えばＵＶ照射装置１２１のＵＶ−ＬＥＤ１２１ａに供給する電流値を予め段階的に設定しておいてもよい。また、このようなＵＶ照射装置１２１に対応して予め定まった点灯個数や電流値ではなく、操作者が入力した温度情報に基づき演算した目標照射量について、単に、当該照射量の値の小数点以下を四捨五入することにより、段階的な複数の段階照射量を実現するようにしてもよい。
【０２３３】
また上記実施形態では、予め決められた段階的な複数の照射量群の例として１種類の照射量群（ＵＶ−ＬＥＤ１２１ａの点灯個数に対応した照射量群）のみを説明したが、照射量群を複数種類設けてもよい。照射量群が複数種類ある場合には、照射装置を備える記録装置若しくは照射装置自体の種別を手動若しくは自動で特定し、それに応じた照射量群を特定し、その特定した照射量群のいずれかの段階照射量を選択するように構成してもよい。
【０２３４】
また上記実施形態では、ＵＶ照射装置１２１のＵＶ−ＬＥＤ１２１ａの点灯個数を増減させるようにしたが、この際、点灯対象であるＵＶ−ＬＥＤ１２１ａ以外の消灯対象であるＵＶ−ＬＥＤ１２１ａについて、完全に消灯しなくてもよい。例えば、完全に消灯せずに極めてわずかに照射させておくことで、ＯＮ／ＯＦＦを繰り返す場合に比べて、ＬＥＤの寿命を長くすることができる。
【０２３５】
また上記実施形態では、ステップＳ８００の電流増減モード処理において、設定した電流値による照射量から逆算した温度情報を報知しなかったが、点灯個数増減モード処理におけるステップＳ９８６のように、当該温度情報に関連した温度をＬＣＤ３２１に表示するようにしてもよい。
【０２３６】
また上記実施形態では、「電流増減モード」において、電流値を増減させて照射量を調整するようにしたが、電流値の増減だけでなく、例えばＵＶ照射装置１２１の電源として交流電源を用いる場合には、周波数や波形を変更することで照射量を増減させてもよい。
【０２３７】
半硬化層を有するインク積層構造として、図２０に、積層グループや各積層グループに属する積層パターンの略図を示した。図２１の表には、積層グループや積層グループの概略を示した。図２０の粘着性を有する半硬化状態のインク層は、有色であれば、それ以外のインク層の背景層となる場合がある。この半硬化状態のインク層で、画像を形成してもよい。
【０２３８】
同図の完全硬化してもいいインク層は、画像を形成してもよい。この完全硬化してもいいインク層に基材を載置されるのであれば、その載置の直前は半硬化状態で、その後の紫外線の露光によって完全硬化されてもよい。この完全硬化してもいいインク層は複数の層から形成されてもよい。同図の基材は、透明、若しくは、不透明である。この基材が、不透明である場合には、画像の背景となってもよい。この基材は、完全硬化したインクよりも強度があるシート状の部材（例えば、ポリエチレンテレフタレートフィルム）である。同図の剥離体は、完全硬化及び半硬化インクの少なくとも一方に対して剥離性を有するシート状の部材（例えば、ポリプロピレンフィルム）である。
【０２３９】
同図の剥離体については、記録物を転写物としてではなく、最終的な印刷対象となる物品に直接形成する画像とした場合には、剥離体の代わりに最終的な物品が置かれる。同図のプラテンと印刷ヘッドとは、相対的に移動され、プラテンには剥離体又は基材など被記録媒体を固定可能である。
【０２４０】
積層パターンＢ−１、Ｂ−３、Ｆ−１、Ｆ−４、積層グループＥでは、いわゆるプラテンに相当するテーブル１０５の表面が、記録物の剥離を容易にするため、完全硬化及び半硬化インクの少なくとも一方に対して剥離性を有する（図２０中の注１）。積層グループＣ、Ｅでは、被記録媒体（剥離体を含む）に直接インクを吐出する記録装置では、粘着層となる半硬化インクの後（上方）に、新たなインクが吐出されるので、先に吐出されたインクが半硬化状態を保てず、完全効果されてしまう可能性がある。
【０２４１】
粘着層となる半硬化状態のインクが完全硬化してしまうことを防止するには、剥離性を有し装置内を循環する中間体に一旦インクを吐出して、中間体から被記録媒体（剥離体を含む）に転写する転写方式で印刷してもよい。この場合、上下順番（印刷の順番）が直接、被記憶媒体（剥離体を含む）に印刷する場合と逆になる。そのほか、粘着層となるインクの完全硬化を防止するには、被記録媒体（剥離体を含む）に直接インクを吐出する記録装置では、半硬化インク層の上方に位置するインク層（後に印刷されるインク層）や基材が紫外線を下方のインク層にそれ程に通さない特性を有していればよい。例えば、インクや基材に紫外線吸収剤や紫外線反射材などを含有させる（図２０中の注２）。
【０２４２】
積層パターンＡ−３、Ｄ−３、Ｄ−４では、基材と剥離体とを互いに移動不可能に固定する。例えば、基材及び剥離体の長手方向に印刷しない余白があれば、その余白に物理的な固定部材（例えば、ホッチキス）を用いて、基材と剥離体とを固定してもよい。固定部分は、切断して捨てる。なお、積層パターンＡ−３、Ｄ−３、Ｄ−４などのように、印刷領域よりも広い剥離体をプラテン上に配置すれば、基材に対して縁なし印刷をしても、プラテンがインクによって汚れることが防止できる（図２０中の注３）。
【０２４３】
なお、以上において、図５に示す矢印は信号の流れの一例を示すものであり、信号の流れ方向を限定するものではない。また、図６乃至図８、図１１乃至図１７に示すフローチャートは本発明を上記フローに示す手順に限定するものではなく、発明の趣旨及び技術的思想を逸脱しない範囲内で手順の追加・削除又は順番の変更等をしてもよい。
【０２４４】
以上においては、温度的な要因についてインクの硬化状態との相対関係を考慮して、インクに対する紫外線の照射量を決定しているが、その他の要因、例えば時間的な要因を温度的な要因と共に考慮してもよい。また、記録物の周辺温度（インクジェット記録装置１００のヒータ１２９、補助ヒータ１３２、ＵＶ−ＬＥＤ１２１ａ、各種モータ１０８，１１１などが発する熱も含む）を、インクの硬化を進行させる温度的な要因として考慮してもよい。
【０２４５】
所定の温度より低い周辺温度では、インクの低硬化度や低密着度はそれほど変わらず、周辺温度が所定の温度に上昇すると、インクが所望の高硬化状態や高密着度に急変する、即ち、密着性（粘着性）を急激に発現してもよい。周辺温度が所定の温度より低い場合でも、インクの硬化度や密着度が低硬化度や低密着度から徐々に進行し、周辺温度が所定の温度に達すると、インクが所望の高硬化状態や高密着度に急変する、即ち、密着性（粘着性）を当初より徐々に発現してもよい。
【０２４６】
被印刷媒体１０４の種類や印刷層の構成、インクの色・量や紫外線照射量等に関し、ＲＡＭ３０３が所定の記憶エリアに記憶するデータテーブルは、インクジェット記録装置１００へネットワークや記憶媒体を介して外部から供給されても、インクジェット記録装置１００において操作者によって入力されてもよい。紫外線照射量については、インクの組成や使用用途に関連して、インクの硬化度（粘着度）と温度や時間経過の少なくとも一方との相関に応じて適宜決められる。紫外線照射量は、上記相関に応じ、温度や時間経過の少なくとも一方に応じて自動的に求められるように、インクジェット記録装置１００のプログラムを構成してもよい。インクへの紫外線照射量をさまざまに変え、温度や時間経過の少なくとも一方に応じて実験を重ねた結果に対応したデータテーブルを作成し、自動的、または、手動で、紫外線照射量を決定若しくは入力できるように、インクジェット記録装置１００のプログラムを構成してもよい。
【０２４７】
また、以上既に述べた以外にも、上記実施形態や各変形例による手法を適宜組み合わせて利用しても良い。
【符号の説明】
【０２４８】
１００            インクジェット記録装置（記録装置）
１０１            印刷ヘッド（吐出手段）
１０４            被印刷媒体（被記録媒体、剥離体）
１０５            載置テーブル（載置手段）
１２１            ＵＶ照射装置（紫外線発生源）
１２１ａ          ＵＶ−ＬＥＤ（発光素子）
３０１            ＣＰＵ（制御手段）
Ｐ１              印刷層（記録物）
Ｐ２              印刷層（記録物）
【図１】
2011212915.tif 000003
【図２】
2011212915.tif 000004
【図３】
2011212915.tif 000005
【図４】
2011212915.tif 000006
【図５】
2011212915.tif 000007
【図６】
2011212915.tif 000008
【図７】
2011212915.tif 000009
【図８】
2011212915.tif 000010
【図９】
2011212915.tif 000011
【図１０】
2011212915.tif 000012
【図１１】
2011212915.tif 000013
【図１２】
2011212915.tif 000014
【図１３】
2011212915.tif 000015
【図１４】
2011212915.tif 000016
【図１５】
2011212915.tif 000017
【図１６】
2011212915.tif 000018
【図１７】
2011212915.tif 000019
【図１８】
2011212915.tif 000020
【図１９】
2011212915.tif 000021
【図２０】
2011212915.tif 000022
【図２１】
2011212915.tif 000023